(57)【特許請求の範囲】
【請求項１】
少なくとも１つの第１の送信アンテナから送信するスペクトルと同一のスペクトルを第２の送信アンテナから送信する送信装置と、前記第１の送信アンテナ及び第２の送信アンテナから送信された同一のスペクトルを受信する受信装置と、を備える無線通信システムであって、
前記送信装置は、前記送信アンテナ毎にスペクトルを配置するマッピング部を具備し、
前記受信装置は、
前記同一のスペクトル毎に、前記同一のスペクトルが配置されたサブキャリアから成る伝搬路行列を生成する伝搬路行列生成部と、
前記同一のスペクトル毎に、前記伝搬路行列生成部が生成した伝搬路行列を用いて、スペクトルの等化を行う等化部と、
を具備することを特徴とする無線通信システム。
【請求項２】
前記伝搬路行列生成部は、前記同一のスペクトルが配置された第１サブキャリア、および、当該第１サブキャリア以外の第２サブキャリアから成る伝搬路行列を生成することを特徴とする請求項１記載の無線通信システム。
【請求項３】
前記第２サブキャリアは、前記第１サブキャリアにおいて送信されたスペクトルであって、前記同一のスペクトル以外のスペクトルが送信されたサブキャリアであることを特徴とする請求項２記載の無線通信システム。
【請求項４】
前記等化部は、前記第２サブキャリアにおいて、前記同一のスペクトル以外のスペクトルが送信されたか否かに応じて、前記等化に用いる重みを算出する算出部として、単入力多出力の場合の重みを算出するＳＩＭＯ重み算出部と多入力多出力の場合の重みを算出するＭＩＭＯ重み算出部を切り替えることを特徴とする請求項２又は３記載の無線通信システム。
【請求項５】
前記等化部は、前記伝搬路行列を用いて重みを算出することを特徴とする請求項１から４のいずれか一項に記載の無線通信システム。
【請求項６】
少なくとも１つの第１の送信アンテナから送信するスペクトルと同一のスペクトルを第２の送信アンテナから送信された同一のスペクトルを受信する受信装置であって、
前記同一のスペクトル毎に、前記同一のスペクトルが配置されたサブキャリアについての伝搬路行列を生成する伝搬路行列生成部と、
前記伝搬路行列生成部が生成した伝搬路行列を用いて、スペクトルの等化を行う等化部と、
を具備することを特徴とする受信装置。
【請求項７】
前記伝搬路行列生成部は、前記同一のスペクトルが配置された第１サブキャリアに加え、当該第１サブキャリア以外の第２サブキャリアについての伝搬路行列を生成することを特徴とする請求項６記載の受信装置。
【請求項８】
前記第２サブキャリアは、前記第１サブキャリアにおいて送信されたスペクトルであって、前記同一のスペクトル以外のスペクトルが送信されたサブキャリアであることを特徴とする請求項７記載の受信装置。
【請求項９】
前記等化部は、前記第２サブキャリアにおいて、前記同一のスペクトル以外のスペクトルが送信されたか否かに応じて、前記等化に用いる重みを算出する算出部として、単入力多出力の場合の重みを算出するＳＩＭＯ重み算出部と多入力多出力の場合の重みを算出するＭＩＭＯ重み算出部を切り替えることを特徴とする請求項７又は８記載の受信装置。
【請求項１０】
前記等化部は、前記伝搬路行列を用いて重みを算出することを特徴とする請求項６から９のいずれか一項に記載の受信装置。
【発明の詳細な説明】
【技術分野】
【０００１】
本発明は、無線通信システム、及び受信装置に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ、第三世代パートナシップ・プロジェクト）の無線通信規格であるＬＴＥ（Ｌｏｎｇ  Ｔｅｒｍ  Ｅｖｏｌｕｔｉｏｎ、３．９Ｇの無線アクセス技術）や、ＬＴＥの発展形であるＬＴＥ−Ａ（ＬＴＥ−Ａｄｖａｎｃｅｄ、ＬＴＥの進化版）では、下りリンク（基地局装置から移動局装置への無線通信回線）の伝送方式として、周波数選択性チャネルに強い耐性を持ち、ＭＩＭＯ（Ｍｕｌｔｉｐｌｅ  Ｉｎｐｕｔ  Ｍｕｌｔｉｐｌｅ  Ｏｕｔｐｕｔ、多入力／多出力）伝送と親和性が高いＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、直交周波数分割多元接続）が採用されている。一方、上りリンク（移動局装置から基地局装置への無線通信回線）の伝送方式では、移動局装置のコストや規模が重要である。例えば、移動局装置は、一般利用者に販売、利用されるため、高価格又は寸法や重量の大きい回路等を搭載するのは困難である。
【０００３】
しかしながら、ＯＦＤＭＡやＭＣ−ＣＤＭＡ（Ｍｕｌｔｉ−Ｃａｒｒｉｅｒ  Ｃｏｄｅ  Ｄｉｖｉｓｉｏｎ  Ｍｕｌｔｉｐｌｅ  Ａｃｃｅｓｓ、マルチキャリア符号分割多元接続）等のマルチキャリア伝送では、移動局装置には、送信信号のＰＡＰＲ（Ｐｅａｋ  ｔｏ  Ａｖｅｒａｇｅ  Ｐｏｗｅｒ  Ｒａｔｉｏ、ピーク対平均電力比）が高く、線形領域の広い電力増幅器が必要となってしまうため、端末装置の規模やコストが問題となる上りリンクの伝送には向かない。
つまり、上りリンクで広いカバレッジ（通信カバー範囲であって、例えば、基地局装置までの距離）を維持するには、ＰＡＰＲの低いシングルキャリア伝送が望ましい。ＬＴＥにおいても、シングルキャリア伝送であるＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ、単一波周波数分割多元接続、ＤＦＴ−Ｓ−ＯＦＤＭとも称される）が上りリンクに採用されている。つまりＬＴＥでは、採用される伝送方式が異なり、上りリンクではシングルキャリア伝送、下りリンクではマルチキャリア伝送が採用されている。
【０００４】
また、無線通信において送信装置が複数の送信アンテナを持つ場合、送信装置は、各送信アンテナからそれぞれ独立な信号を同一時刻・同一周波数によって送信することで伝送速度を向上させることができる。この技術は空間多重伝送を呼ばれ、同時送信される信号の数は、ストリーム数、ランク数、又はレイヤ数を呼ばれる。各アンテナから送信された信号は、受信装置における空間フィルタリングやＭＬＤ（Ｍａｘｉｍｕｍ  Ｌｉｋｅｌｉｈｏｏｄ  Ｄｅｔｅｃｔｉｏｎ、最尤検出）等の信号分離処理によって分離される。
また、各送信アンテナで伝搬路特性が良好な周波数は異なる。これに関して、特許文献１及び特許文献２には、送信アンテナ毎に異なる周波数配置を用いて伝送を行うことが記載されている。
【先行技術文献】
【特許文献】
【０００５】
【特許文献１】特開２００８−１９９５９８公報
【特許文献２】国際公開第２００９／０２２７０９号
【発明の概要】
【発明が解決しようとする課題】
【０００６】
しかしながら、送信装置の各送信アンテナから同一データの信号を送信する送信アンテナダイバーシチにおいて、異なる周波数割り当てを許容した場合、各周波数で異なるスペクトルが送信されることとなる。そのため、受信装置が受信する信号に干渉が生じてしまい、受信品質が劣化してしまうという欠点があった。
【０００７】
本発明は上記の点に鑑みてなされたものであり、受信装置での受信品質を向上させることができる無線通信システム、及び受信装置を提供する。
【課題を解決するための手段】
【０００８】
（１）本発明は上記の課題を解決するためになされたものであり、本発明の一態様は、少なくとも１つの第１の送信アンテナから送信するスペクトルと同一のスペクトルを第２の送信アンテナから送信する送信装置と、前記第１の送信アンテナ及び第２の送信アンテナから送信された同一のスペクトルを受信する受信装置と、を備える無線通信システムであって、前記送信装置は、前記送信アンテナ毎にスペクトルを配置するマッピング部を具備し、前記受信装置は、前記同一のスペクトル毎に、前記同一のスペクトルが配置されたサブキャリアのスペクトルを用いて、スペクトルの等化を行う等化部を具備することを特徴とする無線通信システムである。
【０００９】
（２）また、本発明の一態様は、上記の無線通信システムにおいて、前記マッピング部は、前記第１の送信アンテナと前記第２の送信アンテナとで周波数帯域の割り当てが異なるように、スペクトルを配置することを特徴とする。
【００１０】
（３）また、本発明の一態様は、上記の無線通信システムにおいて、前記マッピング部は、前記第１の送信アンテナと前記第２の送信アンテナとで各スペクトルに対する周波数の割り当てが異なるように、スペクトルを配置することを特徴とする。
【００１１】
（４）また、本発明の一態様は、上記の無線通信システムにおいて、前記送信装置は、前記第１の送信アンテナと前記第２の送信アンテナとで異なる順序に、スペクトルを並び換える並び換え部を具備し、前記マッピング部は、並び換え部が並び替えた順序に従って、スペクトルを配置することを特徴とする。
【００１２】
（５）また、本発明の一態様は、上記の無線通信システムにおいて、前記等化部は、前記同一のスペクトルが配置されたサブキャリアのスペクトル、及び、当該スペクトルと同一のスペクトルが配置されたサブキャリアのスペクトルを用いて、スペクトルの等化を行うことを特徴とする。
【００１３】
（６）また、本発明の一態様は、上記の無線通信システムにおいて、前記無線通信システムは、前記第１の送信アンテナを備える送信装置と、前記第２の送信アンテナを備える送信装置と、を具備することを特徴とする。
【００１４】
（７）また、本発明の一態様は、上記の無線通信システムにおいて、前記受信装置は、前記同一のスペクトル毎に、前記同一のスペクトルが配置されたサブキャリアのスペクトルを抽出するデマッピング部を具備し、前記等化部は、前記デマッピング部が抽出したスペクトル用いて、スペクトルの等化を行うことを特徴とする。
【００１５】
（８）また、本発明の一態様は、上記の無線通信システムにおいて、前記受信装置は、前記同一のスペクトル毎に、前記同一のスペクトルが配置されたサブキャリアについての伝搬路行列を生成する伝搬路行列生成部を具備し、前記等化部は、前記伝搬路行列生成部が生成した伝搬路行列を用いて、スペクトルの等化を行うことを特徴とする。
【００１６】
（９）また、本発明の一態様は、上記の無線通信システムにおいて、前記等化部は、前記同一のスペクトルが配置されたサブキャリアに他のスペクトルが配置されているか否かに応じて、等化に用いる重みの演算処理を切り替えることを特徴とする。
【００１７】
（１０）また、本発明の一態様は、少なくとも１つの第１の送信アンテナ、及び第２の送信アンテナから送信された同一のスペクトルを受信する受信装置において、前記同一のスペクトル毎に、前記同一のスペクトルが配置されたサブキャリアのスペクトルを用いて、スペクトルの等化を行う等化部を具備することを特徴とする受信装置である。
【００１８】
（１１）また、本発明の一態様は、少なくとも１つの第１の送信アンテナ、及び第２の送信アンテナから送信された同一のスペクトルを受信する受信装置における受信制御方法において、前記受信装置が、前記同一のスペクトル毎に、前記同一のスペクトルが配置されたサブキャリアのスペクトルを用いて、スペクトルの等化を行う等化過程を有することを特徴とする受信制御方法である。
【００１９】
（１２）また、本発明の一態様は、少なくとも１つの第１の送信アンテナ、及び第２の送信アンテナから送信された同一のスペクトルを受信する受信装置のコンピュータに、前記同一のスペクトル毎に、前記同一のスペクトルが配置されたサブキャリアのスペクトルを用いて、スペクトルの等化を行う等化手段を実行させるための受信制御プログラムである。
【００２０】
（１３）また、本発明の一態様は、少なくとも１つの第１の送信アンテナ、及び第２の送信アンテナから送信された同一のスペクトル毎に、前記同一のスペクトルが配置されたサブキャリアのスペクトルを用いて、スペクトルの等化を行うことを特徴とするプロセッサである。
【００２１】
（１４）また、本発明の一態様は、少なくとも１つの第１の送信アンテナ、及び第２の送信アンテナから送信された同一のスペクトル毎に、前記同一のスペクトルが配置されたサブキャリアのスペクトルを抽出することを特徴とするプロセッサである。
【００２２】
（１５）また、本発明の一態様は、少なくとも１つの第１の送信アンテナ、及び第２の送信アンテナから送信された同一のスペクトル毎に、前記同一のスペクトルが配置されたサブキャリアについての伝搬路行列を生成することを特徴とするプロセッサである。
【発明の効果】
【００２３】
本発明によれば、無線通信システムは、受信装置での受信品質を向上させることができる。
【図面の簡単な説明】
【００２４】
【図１】本発明の第１の実施形態に係る無線通信システムの一例を示す概略図である。
【図２】本実施形態に係る基地局装置の構成を示す概略ブロック図である。
【図３】本実施形態に係る割当情報の一例を示す概略図である。
【図４】本実施形態に係る周波数スペクトルの割り当ての一例を示す概略図である。
【図５】本実施形態に係る周波数スペクトルの割り当ての別の一例を示す概略図である。
【図６】本実施形態に係る周波数スペクトルの割り当ての別の一例を示す概略図である。
【図７】本実施形態に係る移動局装置の構成を示す概略ブロック図である。
【図８】本実施形態に係る等化部の構成を示す概略ブロック図である。
【図９】本発明の第２の実施形態に係る無線通信システムの一例を示す概略図である。
【図１０】本実施形態に係る移動局装置の構成を示す概略ブロック図である。
【図１１】本実施形態に係る周波数スペクトルの割り当ての一例を示す概略図である。
【図１２】本実施形態に係る周波数スペクトルの割り当ての別の一例を示す概略図である。
【図１３】本実施形態に係る周波数スペクトルの割り当ての別の一例を示す概略図である。
【図１４】本実施形態に係る基地局装置の構成を示す概略ブロック図である。
【図１５】本実施形態に係る結合部が行う信号毎の選択処理の一例を示すフローチャートである。
【図１６】本実施形態に係る等化部の構成を示す概略ブロック図である。
【図１７】本実施形態に係る無線通信システムの効果を説明する説明図である。
【図１８】本発明の第３の実施形態に係る移動局装置の構成を示す概略ブロック図である。
【図１９】本実施形態に係る割当情報の一例を示す概略図である。
【図２０】本実施形態に係る並び替え部に入力される信号を示す概略図である。
【図２１】本実施形態に係る並び替え部から出力される信号の一例を示す概略図である。
【図２２】本実施形態に係る並び替え部から出力される信号の別の一例を示す概略図である。
【図２３】本実施形態に係る周波数スペクトルの割り当ての一例を示す概略図である。
【図２４】本実施形態に係る基地局装置の構成を示す概略ブロック図である。
【図２５】本発明の第４の実施形態に係る無線通信システムの一例を示す概略図である。
【図２６】本実施形態に係る中央処理装置及び基地局装置の構成を示す概略ブロック図である。
【図２７】本実施形態に係る割当情報の一例を示す概略図である
【図２８】本実施形態に係る周波数スペクトルの割り当ての一例を示す概略図である。
【発明を実施するための形態】
【００２５】
（第１の実施形態）
以下、図面を参照しながら本発明の実施形態について詳しく説明する。
【００２６】
＜無線通信システムについて＞
図１は、本発明の第１の実施形態に係る無線通信システム１の一例を示す概略図である。この図において、無線通信システム１は、基地局装置Ａ１０及びＮ個の移動局装置Ｂ１ｎ（ｎ＝０〜Ｎ−１）を備える。
基地局装置Ａ１０から移動局装置Ｂ１ｎへの下りリンクの通信では、伝送方式としてＯＦＤＭＡが用いられる。基地局装置Ａ１０は、Ｎｔ本の送信アンテナＡ１０−ｎｔ（ｎｔ＝０〜Ｎｔ−１）を備える。基地局装置Ａ１０は、Ｎｔ本の送信アンテナを介して、信号を移動局装置Ｂ１ｎへ送信する。なお、以下では、ｎｔを「アンテナ番号」とも称する。
移動局装置Ｂ１ｎは、受信アンテナＢ１ｎ−０を備え、基地局装置Ａ１０が送信した信号を受信する。なお、本実施形態では、移動局装置Ｂ１ｎは、一本の受信アンテナＢ１ｎ−０を備える場合について説明をするが、本発明はこれに限らず、複数の受信アンテナを備えていてもよい。
以下、基地局装置Ａ１０を基地局装置ａ１といい、移動局装置Ｂ１ｎ各々を移動局装置ｂ１という。
【００２７】
＜基地局装置ａ１について＞
図２は、本実施形態に係る基地局装置ａ１の構成を示す概略ブロック図である。この図において、基地局装置ａ１は、符号化部ａ１０１、変調部ａ１０２、コピー部ａ１０３、スケジューリング部ａ１０４、マッピング部ａ１０５−ｎｔ（ｎｔ＝０〜Ｎｔ−１）、信号多重部ａ１０６−ｎｔ、ＩＦＦＴ（Ｉｎｖｅｒｓｅ  Ｆａｓｔ  Ｆｏｕｒｉｅｒ  Ｔｒａｎｓｆｏｒｍ；逆高速フーリエ変換）部ａ１０７−ｎｔ、ＣＰ（Ｃｙｃｌｉｃ  Ｐｒｅｆｉｘ；サイクリック・プレフィックス）挿入部ａ１０８−ｎｔ、送信部ａ１０９−ｎｔ、及び、送信アンテナａ１１０−ｎｔを含んで構成される。なお、基地局装置ａ１は、その他、基地局装置の一般的な公知の機能を備える。また、図２では、同一のデータの信号を全ての送信アンテナａ１１０−ｎｔから送信する場合（ランク数「１」の伝送）の基地局装置ａ１について示すが、本発明はこれに限られない。基地局装置ａ１は、送信アンテナ数よりも低いランク数の伝送を用いればよく、例えば、ｎｔ＝４の場合にランク数「３」の伝送としてもよい。ここで、ランク数とは、同時送信される信号の数である。
【００２８】
符号化部ａ１０１は、音声データ、文字データ、画像データ等のビット系列を入力される。符号化部ａ１０１は、入力されたビット系列を誤り訂正符号化し、誤り訂正符号化した符号化ビットを、変調部ａ１０２に出力する。
変調部ａ１０２は、符号化部ａ１０１から入力された符号化ビットを変調する。変調部ａ１０２は、変調後の信号を、Ｍ個毎にコピー部ａ１０３に出力する。以下、出力される信号を、ｓ（ｍ）（ｍ＝０〜Ｍ−１）で表す。なお、変調部ａ１０２が行う変調では、ＱＰＳＫ(Ｑｕａｄｒａｔｕｒｅ  Ｐｈａｓｅ  Ｓｈｉｆｔ  Ｋｅｙｉｎｇ、４相位相変調)や１６ＱＡＭ(Ｑｕａｄｒａｔｕｒｅ  Ａｍｐｌｉｔｕｄｅ  Ｍｏｄｕｌａｔｉｏｎ、１６値直交振幅変調)等の変調等の変調方式が用いられる。
【００２９】
コピー部ａ１０３は、変調部ａ１０２から入力された信号ｓ（ｍ）をコピー（複製）して、送信アンテナ数Ｎｔ個の信号ｓ（ｍ）を生成する。コピー部ａ１０３は、生成した信号ｓ（ｍ）各々を、マッピング部ａ１０５−０〜ａ１０５−（Ｎｔ−１）に出力する。
スケジューリング部ａ１０４は、各マッピング部ａ１０５−ｎｔでの信号に対する周波数の割り当てを示す割当情報（例えば、図３の一例）を記憶する。この割当情報が示す周波数の割り当ては、マッピング部ａ１０５−ｎｔ毎に異なるものが含まれる。なお、割当情報は、オペレータ等の操作によって予め記憶されたものであってもよいし、予め定められた規則に基づいて基地局装置ａ１が決定したものを記憶したものであってもよい。基地局装置ａ１は、移動局装置ｂ１から通知された下りリンクの伝搬路に関する情報（伝搬路推定値等）に基づいて割当情報を決定して更新してもよく、例えば、送信アンテナａ１１０−ｎｔ毎に、伝搬路に関する情報が示す移動局装置ｂ１の伝搬路品質が最大となる周波数を、その移動局装置ｂ１の信号に対して割り当てるように、割当情報を決定する。スケジューリング部ａ１０４は、記憶する割当情報をマッピング部ａ１０５−ｎｔに出力する。
【００３０】
マッピング部ａ１０５−ｎｔは、スケジューリング部ａ１０４から入力された割当情報が示す周波数に、コピー部ａ１０３から入力された信号ｓ（ｍ）を配置する。具体的には、マッピング部ａ１０５−ｎｔは、割当情報が示す周波数の周波数ポイントｐであって、逆高速フーリエ変換に用いる周波数ポイントｐのうちｍ個の周波数ポイントに、信号ｓ（ｍ）を配置する。ここで、マッピング部ａ１０５−ｎｔが配置した信号ｓ（ｍ）を周波数スペクトルｓ（ｍ）（図４〜図６参照）とも称し、Ｍを「周波数スペクトル数」とも称する。マッピング部ａ１０５−ｎｔは、各移動局装置ｂ１宛の信号をＦＦＴ区間のＮＦＦＴ個の周波数ポイントｐに配置し、配置した周波数スペクトルを信号多重部ａ１０６−ｎｔに出力する。
【００３１】
信号多重部ａ１０６−ｎｔは、マッピング部ａ１０５−ｎｔから入力された周波数スペクトル（データ信号とも称す）、各送信アンテナａ１１０−ｎｔと移動局装置ｂ１の受信アンテナの間の伝搬路の推定を行うための参照信号（Ｗ−ＣＤＭＡ方式におけるパイロットシンボル、無線ＬＡＮにおけるプリアンブル信号に相当する）、及び、周波数スペクトルの割当情報や変調方式（変調部ａ１０２での変調方式）、符号化率（符号化部ａ１０１での符号化率）に関する情報、伝送モード等の制御情報、を多重することで、送信フレームの信号を生成する。信号多重部ａ１０６−ｎｔは、生成した送信フレームの信号を、ＩＦＦＴ部ａ１０７−ｎｔに出力する。
【００３２】
ＩＦＦＴ部ａ１０７−ｎｔは、信号多重部ａ１０６−ｎｔから入力された信号に対して、ＮＦＦＴポイントの逆高速フーリエ変換を行うことにより、信号を周波数領域信号から時間領域信号へ変換する。ＩＦＦＴ部ａ１０７−ｎｔは、変換後の信号をＣＰ挿入部ａ１０８−ｎｔに出力する。
ＣＰ挿入部ａ１０８−ｎｔは、ＩＦＦＴ部ａ１０７−ｎｔから入力された信号に対して、ＯＦＤＭシンボル毎にＣＰを挿入する。ここで、ＣＰは、信号の後半部分であって予め定めた時間帯域の部分を複製したものであり、ガードタイムに相当する。ＣＰ挿入部ａ１０８−ｎｔは、複製したＣＰを信号の前に挿入する。ＣＰ挿入部ａ１０８−ｎｔは、ＣＰを挿入した信号を、送信部ａ１０９−ｎｔに出力する。
【００３３】
送信部ａ１０９−ｎｔは、ＣＰ挿入部ａ１０８−ｎｔから入力された信号に対して、Ｄ／Ａ（ディジタル−アナログ）変換、アナログ・フィルタリング、及びベースバンドから搬送波周波数へのアップコンバージョンの処理を行う。送信部ａ１０９−ｎｔは、処理後の信号を送信アンテナａ１１０−ｎｔを介して送信する。
【００３４】
図３は、本実施形態に係る割当情報の一例を示す概略図である。この図は、アンテナ数Ｎｔ＝２、周波数スペクトル数Ｍ＝６の場合の割当情報の一例を示す。図示するように割当情報は、アンテナ番号ｎｔ、周波数ポイントｐ、移動局装置、及び信号の各項目の列を有している。割当情報は、アンテナ番号ｎｔ及び周波数ポイントｐ毎に、そこに配置する信号ｓ（ｍ）が対応付けられている。
例えば、図３は、アンテナ番号ｎｔ＝０のマッピング部ａ１０５−０では、周波数ポイント１〜６に、それぞれ、図１の移動局装置Ｂ１０宛の信号ｓ（０）〜ｓ（５）を配置することを示す。また、図３は、アンテナ番号ｎｔ＝１のマッピング部ａ１０５−１では、周波数ポイント５〜１０に、それぞれ、移動局装置Ｂ１０宛の信号ｓ（０）〜ｓ（５）を配置することを示す。
すなわち、マッピング部ａ１０５−０、ａ１０５−１は、送信アンテナａ１１０−０と送信アンテナａ１１０−１とで周波数帯域の割り当てが異なるように、スペクトルを配置する。
なお、図３は割当情報の一例であり、本実施形態に係る割当情報は、別の割当情報であってもよい。例えば、周波数ポイントの番号ｐの順序とｍの順序は異なってもよい。また、ある移動局装置ｂ１の信号ｓ（ｍ）は、連続した周波数ポイントの番号ｐに対応付けられなくてもよく、離散的であってもよい。また、図３の一例の場合、送信アンテナａ１１０−０、ａ１１０−１から送信される周波数スペクトルｓ（ｍ）の割り当ては、図６のものとなる。
【００３５】
以下、図４〜図６を用いて、各送信アンテナａ１１０−ｎｔ（マッピング部ａ１０５−ｎｔ）に対する周波数スペクトルs（ｍ）の割り当てについて説明をする。なお、図４〜図６では、送信アンテナ数Ｎｔ＝２、周波数スペクトル数Ｍ＝６の場合の割当情報の一例を示す。
【００３６】
図４は、本実施形態に係る周波数スペクトルｓ（ｍ）の割り当ての一例を示す概略図である。この図は、Ｎｔ＝２の場合の図である（図５、６も同様）。図４は、スケジューリング部ａ１０４が、２つの送信アンテナａ１１０−０、ａ１１０−１で、周波数スペクトルｓ（ｍ）が割り当てられる周波数が全て重複するように、周波数スペクトルｓ（ｍ）を割り当て場合（全重複の場合という）の図である。
図４において、送信アンテナａ１１０−０、ａ１１０−１の両方では、周波数ポイント４〜９に、それぞれ、周波数スペクトルｓ（０）〜ｓ（５）が割り当てられている。つまり、アンテナ番号ｎｔ＝０、１に対応するマッピング部ａ１０５−０、ａ１０５−１では、周波数ポイント４〜９に、それぞれ、ある移動局装置ｂ１宛の信号ｓ（０）〜ｓ（５）を配置する。
【００３７】
図５は、本実施形態に係る周波数スペクトルｓ（ｍ）の割り当ての別の一例を示す概略図である。図５は、スケジューリング部ａ１０４が、２つの送信アンテナａ１１０−０、ａ１１０−１で、周波数スペクトルｓ（ｍ）が割り当てられる周波数が全て重複しないように、周波数スペクトルｓ（ｍ）を割り当て場合（非重複の場合という）の図である。
図５において、送信アンテナａ１１０−０では、周波数ポイント１〜６に、それぞれ、周波数スペクトルｓ（０）〜ｓ（５）が割り当てられている。一方、送信アンテナａ１１０−１では、周波数ポイント８〜１３に、それぞれ、周波数スペクトルｓ（０）〜ｓ（５）が割り当てられている。つまり、マッピング部ａ１０５−０では、周波数ポイント１〜６に、それぞれ、ある移動局装置ｂ１宛の信号ｓ（０）〜ｓ（５）を配置する。一方、マッピング部ａ１０５−１では、周波数ポイント９〜１３に、それぞれ、その移動局装置ｂ１宛の信号ｓ（０）〜ｓ（５）を配置する。
【００３８】
図６は、本実施形態に係る周波数スペクトルｓ（ｍ）の割り当ての別の一例を示す概略図である。図６は、スケジューリング部ａ１０４が、２つの送信アンテナａ１１０−０、ａ１１０−１で、周波数スペクトルｓ（ｍ）が割り当てられる周波数が一部だけ重複する（一部だけ重複しない）ように、周波数スペクトルｓ（ｍ）を割り当て場合（一部重複の場合という）の図である（図６参照）。
図６において、送信アンテナａ１１０−０では、周波数ポイント１〜６に、それぞれ、周波数スペクトルｓ（０）〜ｓ（５）が割り当てられている。一方、送信アンテナａ１１０−１では、周波数ポイント５〜１０に、それぞれ、周波数スペクトルｓ（０）〜ｓ（５）が割り当てられている。つまり、マッピング部ａ１０５−０では、周波数ポイント１〜６に、それぞれ、ある移動局装置ｂ１宛の信号ｓ（０）〜ｓ（５）を配置する。一方、マッピング部ａ１０５−１では、周波数ポイント５〜１０に、それぞれ、その移動局装置ｂ１宛の信号ｓ（０）〜ｓ（５）を配置する。
このように、図６の一例では、周波数スペクトルｓ（ｍ）を割り当てる周波数ポイント１〜４及び７〜１０は重複せず、周波数ポイント５、６は重複している。
【００３９】
なお、上記の図４〜図６において、スケジューリング部ａ１０４は、周波数スペクトルｓ（ｍ）を連続的に割り当てる例を示しているが、離散的に割り当ててもよい。また、各アンテナで送信する周波数スペクトルの数Ｍは、一致していなくてもよい。
このように、本実施形態では、基地局装置ａ１は、各送信アンテナでの周波数スペクトルｓ（ｍ）を自由に配置する。これにより、基地局装置ａ１は、各送信アンテナの利得によって柔軟な周波数割り当てができる。なお、本実施形態のマッピング部ａ１０５−ｎｔは、移動局装置ｂ１に対して周波数スペクトルｓ（ｍ）を割り当てなかった周波数ポイントｐに、ゼロを割り当ててもよいし、他の移動局装置ｂ１に対する周波数スペクトルｓ（ｍ）を割り当ててもよい。
以上説明したようにして基地局装置ａ１から送信された信号は、無線伝搬路を経由し、移動局装置ｂ１の受信アンテナで受信される。以下、移動局装置ｂ１について説明をする。
【００４０】
＜移動局装置ｂ１について＞
図７は、本実施形態に係る移動局装置ｂ１の構成を示す概略ブロック図である。この図において、移動局装置ｂ１は、受信アンテナｂ１０１、受信部ｂ１０２、ＣＰ除去部ｂ１０３、ＦＦＴ（Ｆａｓｔ  Ｆｏｕｒｉｅｒ  Ｔｒａｎｓｆｏｒｍ；高速フーリエ変換）部ｂ１０４、信号分離部ｂ１０５、割当情報抽出部ｂ１０６、伝搬路推定部ｂ１０７、デマッピング部ｂ１０８、等化部ｂ１０９、復調部ｂ１１０、及び、復号部ｂ１１１を含んで構成される。なお、移動局装置ｂ１は、その他、移動局装置の一般的な公知の機能を備える。なお、本実施形態では、受信アンテナ数を「１」本としているが、本発明はこれに限らず、移動局装置ｂ１は、複数個の受信アンテナを備え、公知の技術を用いて、受信ダイバーシチ利得を得てもよいし、ＭＩＭＯの信号分離能力を向上してもよい。
【００４１】
受信部ｂ１０２は、受信アンテナｂ１０１を介して受信した信号に対して、搬送波周波数からベースバンド信号へのダウンコンバート、アナログ・フィルタリング、及びＡ／Ｄ（アナログ−ディジタル）変換の処理を行う。受信部ｂ１０２は、処理後の信号をＣＰ除去部ｂ１０３に出力する。
ＣＰ除去部ｂ１０３は、受信部ｂ１０２から入力された信号から、ＯＦＤＭシンボル毎にＣＰを除去する。ＣＰ除去部ｂ１０３は、ＣＰを除去した信号を、ＦＦＴ部ｂ１０４に出力する。
【００４２】
ＦＦＴ部ｂ１０４は、ＣＰ除去部ｂ１０３から入力された信号に対して、ＮＦＦＴポイントの高速フーリエ変換を行うことにより、信号を時間領域信号から周波数領域信号へ変換する。ＦＦＴ部ｂ１０４は、変換後の信号を信号分離部ｂ１０５に出力する。
信号分離部ｂ１０５は、ＦＦＴ部ｂ１０４から入力された信号を、参照信号、データ信号、及び制御信号に分離する。信号分離部ｂ１０５は、分離した制御情報を割当情報抽出部ｂ１０６に出力し、データ信号をデマッピング部ｂ１０８に出力する。また、信号分離部ｂ１０５は、分離した参照信号を伝搬路推定部ｂ１０７に出力する。
【００４３】
割当情報抽出部ｂ１０６は、信号分離部ｂ１０５から入力された制御情報から割当情報を抽出して、デマッピング部ｂ１０８及び等化部ｂ１０９に出力する。
伝搬路推定部ｂ１０７は、信号分離部ｂ１０５から入力された参照信号を用いて、基地局装置ａ１の送信アンテナａ１１０−０〜ａ１１０−（Ｎｔ−１）各々と受信アンテナｂ１０１との無線伝搬路の伝搬路推定値（位相及び振幅）を推定する。伝搬路推定部ｂ１０７は、推定した伝搬路推定値を等化部ｂ１０９に出力する。
【００４４】
デマッピング部ｂ１０８は、割当情報抽出部ｂ１０６から入力された割当情報に基づいて、信号分離部ｂ１０５から入力されたデータ信号（スペクトル）から、等化を行なうｓ（ｍ）（０≦ｍ≦Ｍ−１）毎に、ｓ（ｍ）が送信された周波数ポイントｐの信号ｒ（ｐ）を抽出する。
【００４５】
以下、デマッピング部ｂ１０８が行う信号ｓ（ｍ）毎の選択処理について、信号ｓ（１）の選択処理の例を用いて説明をする。なお、以下では、信号ｓ（１）の選択処理について説明をするが、デマッピング部ｂ１０８は、他の信号ｓ（ｍ）（ｍ≠１）についても同様に信号ｓ（ｍ）毎の選択処理を行う。
【００４６】
１）図４に示す割り当ての一例の場合（全重複の場合）
デマッピング部ｂ１０８は、信号ｓ（１）が配置された周波数ポイント「５」を抽出し、周波数ポイント「５」から信号ｒ（５）を選択する。
２）図５に示す割り当ての一例の場合（非重複の場合）
デマッピング部ｂ１０８は、信号ｓ（１）が配置された周波数ポイント「２」及び「９」を抽出し、周波数ポイント「２」及び「９」からそれぞれ信号ｒ（２）、及びｒ（９）を選択する。
３）図６に示す割り当て（図３の割当情報）の一例の場合（一部重複の場合）
デマッピング部ｂ１０８は、信号ｓ（１）が配置された周波数ポイント「２」及び「６」を抽出し、周波数ポイント「２」及び「６」からそれぞれ信号ｒ（２）、及びｒ（６）を選択する。
【００４７】
なお、信号ｓ（ｍ）毎の選択処理において、全重複の場合には、デマッピング部ｂ１０８は、信号ｓ（０）〜ｓ（Ｍ−１）に対して、それぞれ、１個の信号ｒ（ｐ）を選択する。また、例えば、非重複の場合には、デマッピング部ｂ１０８は、信号ｓ（０）〜ｓ（Ｍ−１）に対して、それぞれ、Ｎｔ／ランク数（本実施形態ではＮｔ）個の信号ｒ（ｐ）を選択する。
デマッピング部ｂ１０８は、抽出した信号ｒ（ｐ）を、等化部ｂ１０９に出力する。
【００４８】
等化部ｂ１０９は、割当情報抽出部ｂ１０６から入力された割当情報及び伝搬路推定部ｂ１０７から入力された伝搬路推定値に基づいて、デマッピング部ｂ１０８から入力された信号ｒ（ｐ）に対して、等化処理を行う。なお、等化処理の詳細については、等化部ｂ１０９の構成と併せて後述する。等化部ｂ１０９は、等化処理後の信号ｓ’（ｍ）を復調部ｂ１１０に出力する。
【００４９】
復調部ｂ１１０は、信号分離部ｂ１０５が分離した制御信号が示す変調方式を用いて、等化部ｂ１０９から入力された信号を復調する。復調部ｂ１１０は、信号を復調した符号化ビットを、復号部ｂ１１１に出力する。
復号部ｂ１１１は、信号分離部ｂ１０５が分離した制御信号の符号化率に関する情報に基づいて、復調部ｂ１１０から入力された符号化ビットを誤り訂正復号する。復号部ｂ１１１は、復号したビット系列を出力する。
【００５０】
＜等化部ｂ１０９について＞
図８は、本実施形態に係る等化部ｂ１０９の構成を示す概略ブロック図である。この図において、等化部ｂ１０９は、結合部ｂ１０９１、伝搬路行列生成部ｂ１０９２、ＭＩＭＯ重み算出部ｂ１０９３、ＳＩＭＯ（Ｓｉｎｇｌｅ  Ｉｎｐｕｔ  Ｍｕｌｔｉｐｌｅ  Ｏｕｔｐｕｔ、単入力／多出力）重み算出部ａ１０９４、重み乗算部ｂ１０９５を含んで構成される。
【００５１】
結合部ｂ１０９１は、割当情報抽出部ｂ１０６から入力された割当情報に基づいて、デマッピング部ｂ１０８から入力された信号ｒ（ｐ）を信号ｓ（ｍ）毎に結合し、Ｎｔ×１（Ｎｔ行１列）のベクトルＲｓ（ｍ）を生成する。ベクトルＲＳ（ｍ）は、デマッピング部ｂ１０８が選択した周波数スペクトルｐ（ｐ１、ｐ２、・・・、ｐＮｔ）を用いて、第１成分をｒ（ｐ１）、第２成分をｒ（ｐ２）、・・・、第Ｎｔ成分をｒ（ｐＮｔ）をとして表される。結合部ｂ１０９１は、ベクトルＲｓ（ｍ）を重み乗算部ｂ１０９５に入力する。
【００５２】
伝搬路行列生成部ｂ１０９２は、割当情報抽出部ｂ１０６から入力された割当情報及び伝搬路推定部ｂ１０７から入力された伝搬路推定値に基づいて、信号ｓ（ｍ）毎に伝搬路行列を生成する。
具体的には、伝搬路行列生成部ｂ１０９２は、割当情報から自装置宛の信号ｓ（ｍ）を選択し、選択した信号ｓ（ｍ）毎にそれに対応付けられたアンテナ番号ｎｔ及び周波数ポイントｐを抽出する。伝搬路行列生成部ｂ１０９２は、信号ｓ（ｍ）毎に抽出したアンテナ番号ｎｔ及び周波数ポイントｐの伝搬路推定値（Ｈｎｔ（ｐ）で表す）を選択し、選択した伝搬路推定値Ｈｎｔ（ｐ）からなる伝搬路行列Ｈｓ（ｍ）を生成する。
【００５３】
伝搬路行列生成部ｂ１０９２は、生成した伝搬路行列Ｈｓ（ｍ）を、ＭＩＭＯ重み算出部ｂ１０９３又はＳＩＭＯ重み算出部ｂ１０９４に出力する。ここで、伝搬路行列生成部ｂ１０９２は、割当情報において、あるｍの信号ｓ（ｍ）に対応する周波数ポイントｐの全てに、他の信号ｓ（ｌ）が配置されていないと判定した場合、伝搬路行列Ｈｓ（ｍ）をＳＩＭＯ重み算出部ｂ１０９４に出力する。一方、伝搬路行列生成部ｂ１０９２は、割当情報において、あるｍの信号ｓ（ｍ）に対応する周波数ポイントｐの少なくとも１つに、他の信号ｓ（ｌ）が配置されていると判定した場合、伝搬路行列Ｈｓ（ｍ）をＭＩＭＯ重み算出部ｂ１０９３に出力する。
例えば、図３の割当情報（図６の割り当て）の場合、伝搬路行列生成部ｂ１０９２は、伝搬路行列Ｈｓ（１）をＭＩＭＯ重み算出部ｂ１０９３に出力し、伝搬路行列Ｈｓ（３）をＳＩＭＯ重み算出部ｂ１０９４に出力する。
【００５４】
ＭＩＭＯ重み算出部ｂ１０９３は、伝搬路行列生成部ｂ１０９２から入力された伝搬路行列Ｈｓ（ｍ）を用いて、次式（１）を用いてＭＩＭＯ重みベクトルｗｓ（ｍ）を算出する。
【００５５】
【数１】
0005704555.tif 000002
【００５６】
ここで、ｈｓ（ｍ）はＨｓ（ｍ）の第０列目の列ベクトルであり、ＸＨ、及びＸ−１は、それぞれ、行列（ベクトル）Ｘのエルミート転置処理、及び逆行列演算処理を表わす。
【００５７】
また、σ２は平均雑音電力、ＩはＮｔ×Ｎｔの単位行列である。なお、平均雑音電力σ２は、雑音推定部（図示せず）により算出され、ＭＩＭＯ重み算出部ｂ１０９３及びＳＩＭＯ重み算出部ｂ１０９４に入力される。また、雑音推定部は、例えば、周波数領域での参照信号の受信信号から、各周波数での伝搬路推定値と周波数領域の参照信号とを乗算したものを減算し、減算結果（雑音）の絶対値の２乗を各周波数で求めたのち、周波数の数で平均化することで、平均雑音電力σ２を算出する。
ＭＩＭＯ重み算出部ｂ１０９３は、算出したＭＩＭＯ重みベクトルｗｓ（ｍ）を重み乗算部ｂ１０９５に出力する。なお、ＭＩＭＯ重み算出部ｂ１０９３は、ＭＭＳＥ（Ｍｉｎｉｍｕｍ  Ｍｅａｎ  Ｓｑｕａｒｅ  Ｅｒｒｏｒ、最小平均２乗誤差）重みを用いた式（１）でＭＩＭＯ重みベクトルｗｓ（ｍ）を算出しているが、本発明はこれに限られない。例えば、ＭＩＭＯ重み算出部ｂ１０９３は、平均雑音電力を考慮しないＺＦ（Ｚｅｒｏ  Ｆｏｒｃｉｎｇ）等、他の基準の重みを用いてＭＩＭＯ重みベクトルｗｓ（ｍ）を算出してもよい。また、等化部ｂ１０９が行う等化処理は、繰り返し等化処理やＭＬＤ等、他の信号分離法を用いた処理であってもよい。
【００５８】
ＳＩＭＯ重み算出部ｂ１０９４は、伝搬路行列生成部ｂ１０９２から入力された伝搬路行列Ｈｓ（ｍ）を用いて、次式（２）を用いて、ＳＩＭＯ重みベクトルｗｓ（ｍ）を算出する。
【００５９】
【数２】
0005704555.tif 000003
【００６０】
ＳＩＭＯ重み算出部ｂ１０９４は、算出したＳＩＭＯ重みベクトルｗ’ｓ（ｍ）を重み乗算部ｂ１０９５に出力する。なお、ＳＩＭＯ重み算出部ｂ１０９４は、ＭＲＣ（Ｍａｘｉｍｕｍ  Ｒａｔｉｏ  Ｃｏｍｂｉｎｉｎｇ、最大比合成）重みを用いた式（２）でＳＩＭＯ重みベクトルｗｓ（ｍ）を算出しているが、本発明はこれに限られない。例えば、ＳＩＭＯ重み算出部ｂ１０９４は、ＺＦ、ＥＧＣ（Ｅｑｕａｌ  Ｇａｉｎ  Ｃｏｍｂｉｎｉｎｇ、等利得合成）やＭＭＳＥ等、他の基準の重みを用いてＳＩＭＯ重みベクトルｗＳ（ｍ）を算出してもよい。
【００６１】
重み乗算部ｂ１０９５は、結合部ｂ１０９１から入力された信号ｓ（ｍ）毎の信号ベクトルＲｓ（ｍ）に対して、ＭＩＭＯ重み算出部ｂ１０９３から入力されたＭＩＭＯ重みベクトルｗｓ（ｍ）、又は、ＳＩＭＯ重み算出部ｂ１０９４から入力されたＳＩＭＯ重みベクトルｗ’ｓ（ｍ）を乗算する。これにより、移動局装置ｂ１は、信号ｓ（ｍ）に相当する信号ｓ’（ｍ）を得ることができる。重み乗算部ｂ１０９５は、重みベクトルを乗算した信号ｓ’（ｍ）を復調部ｂ１１０に出力する。
【００６２】
以下、デマッピング部ｂ１０８および等化部ｂ１０９が行う動作の一例について具体例を用いて説明する。
まず、信号ｓ（ｍ）に対応する周波数ポイントｐの少なくとも１つに、他の信号ｓ（ｌ）（ｌ≠ｍ）が配置されている場合について説明をする。例えば、図６の割り当て（図３の割当情報）のときには、信号ｓ（１）がこの場合に該当する。以下、この信号ｓ（１）を用いて、処理の詳細について説明する。
【００６３】
デマッピング部ｂ１０８は、割当情報に基づいて、信号ｓ（１）が配置された周波数ポイント「２」及び「６」を抽出する。デマッピング部ｂ１０８は、周波数ポイント「２」及び「６」に配置された信号ｒ（２）及びｒ（６）を選択する。この信号ｒ（２）及びｒ（６）は、伝搬路推定値Ｈｎｔ（ｐ）及び信号ｓ（ｍ）を用いて、次式（３）で表される。
【００６４】
【数３】
0005704555.tif 000004
【００６５】
なお、式（３）は、移動局装置ｂ１での雑音や他の通信装置からの干渉を無視した場合の式である。デマッピング部ｂ１０８が抽出した受信信号ｒ（２）およびｒ（６）は、等化部ｂ１０９内の結合部ｂ１０９１に入力される。結合部ｂ１０９１は、信号ｒ（２）、ｒ（６）を成分とするベクトルＲＳ（１）を生成する。このベクトルＲＳ（１）は、次式（４）で表される。
【００６６】
【数４】
0005704555.tif 000005
【００６７】
なお、式（４）の第３式は、基地局装置ａ１の送信アンテナａ１１０−０から送信された信号については、周波数ポイント「２」では、干渉信号ｓ（５）の伝搬路利得がゼロであったことを示す。また、式（３）の第４式では、信号ｓ（１）及びｓ（５）を成分とするベクトルに対して、伝搬路行列Ｈｓ（ｍ）が乗算されている。
【００６８】
結合部ｂ１０９１は、ベクトルＲｓ（１）を重み乗算部ｂ１０９５に出力する。
一方、伝搬路行列生成部ｂ１０９２は、信号ｓ（１）に対応する周波数ポイント「２」及び「６」の少なくとも１つ（本例では、周波数ポイント「６」）に、他の信号ｓ（５）が配置されていると判定し、伝搬路行列Ｈｓ（１）をＭＩＭＯ重み算出部ｂ１０９３に出力する。ＭＩＭＯ重み算出部ｂ１０９３は、次式（５）で表されるＭＩＭＯ重みベクトルｗｓ（１）を算出する。
【００６９】
【数５】
0005704555.tif 000006
【００７０】
ここで、ベクトルｈｓ（１）は、式（４）におけるＨｓ（１）の０列目の列ベクトルであり、ＸＴは、行列（ベクトル）Ｘの転置処理表わす。
このように、等化部ｂ１０９は、デマッピング部ｂ１０８が抽出した同じ信号ｓ（１）が送信された複数の周波数ポイント（本例では、周波数ポイント「２」及び「６」においてｓ（１）が送信されている）で、いずれかの周波数ポイントにおいて他の信号による干渉がある場合には、干渉を考慮したＭＩＭＯ重みを生成する（本例では周波数ポイント「６」においてｓ（５）が干渉となる）。これにより、等化部ｂ１０９は、送信ダイバーシチ利得を効果的に得ることができる。
【００７１】
重み乗算部ｂ１０９５は、結合部ｂ１０９１から入力されたベクトルＲｓ（１）に対して、ＭＩＭＯ重み算出部ｂ１０９３から入力されたＭＩＭＯ重みベクトルｗｓ（１）を乗算する。乗算後の信号ｓ’（ｍ）は、次式（７）で表される。
【００７２】
【数６】
0005704555.tif 000007
【００７３】
次に、信号ｓ（ｍ）に対応する周波数ポイントｐの全てに、他の信号ｓ（ｌ）（ｌ≠ｍ）が配置されていない場合について説明をする。例えば、図６の割り当て（図３の割当情報）のときには、信号ｓ（３）がこの場合に該当する。以下、この信号ｓ（３）を用いて、処理の詳細について説明する。
【００７４】
デマッピング部ｂ１０８は、割当情報に基づいて、信号ｓ（３）が配置された周波数ポイント「４」及び「８」を抽出する。デマッピング部ｂ１０８は、周波数ポイント「４」及び「８」に配置された信号ｒ（４）、ｒ（８）を選択する。この信号ｒ（４）、ｒ（８）は、伝搬路推定値Ｈｎｔ（ｐ）及び信号ｓ（ｍ）を用いて、次式（８）で表される。
【００７５】
【数７】
0005704555.tif 000008
【００７６】
なお、式（８）は、移動局装置ｂ１での雑音や他の通信装置からの干渉を無視した場合の式である。デマッピング部ｂ１０８が抽出した受信信号ｒ（４）およびｒ（８）は、等化部ｂ１０９内の結合部ｂ１０９１に入力される。結合部ｂ１０９１は、信号ｒ（４）、ｒ（８）を成分とするベクトルＲｓ（３）を生成する。このベクトルＲｓ（３）は、次式（９）で表される。
【００７７】
【数８】
0005704555.tif 000009
【００７８】
式（９）の第４式では、信号ｓ（３）に対して、伝搬路行列Ｈｓ（ｍ）が乗算されている。結合部ｂ１０９１は、ベクトルＲｓ（３）を重み乗算部ｂ１０９５に出力する。
一方、伝搬路行列生成部ｂ１０９２は、信号ｓ（３）に対応する周波数ポイント「４」及び「８」に、他の信号ｓ（ｌ）（ｌ≠３）が配置されていないと判定し、伝搬路行列Ｈｓ（３）をＳＩＭＯ重み算出部ｂ１０９４に出力する。ＳＩＭＯ重み算出部ｂ１０９４は、次式（１０）で表されるＳＩＭＯ重みベクトルｗ’ｓ（３）を算出する。
【００７９】
【数９】
0005704555.tif 000010
【００８０】
ここでＸ＊は、行列（ベクトル）Ｘの複素共役処理を表わす。このように、等化部ｂ１０９は、同じ信号ｓ（３）が送信された複数の周波数ポイント（本例では、周波数ポイント「４」及び「８」においてｓ（３）が送信されている）で、どの周波数ポイントにおいても他の信号ｓ（ｌ）による干渉がない場合には、干渉を考慮しないＳＩＭＯ重みを生成する。これにより、等化部ｂ１０９は、ＭＩＭＯ重みの場合と比較して簡易な計算によって、送信ダイバーシチ利得を効果的に得ることができる。
【００８１】
重み乗算部ｂ１０９５は、結合部ｂ１０９１から入力されたベクトルＲｓ（３）に対して、ＳＩＭＯ重み算出部ｂ１０９４から入力されたＳＩＭＯ重みベクトルｗ’ｓ（３）を乗算する。乗算後の信号ｓ’（ｍ）は、次式（１１）で表される。
【００８２】
【数１０】
0005704555.tif 000011
【００８３】
以上では、デマッピング部ｂ１０８および等化部ｂ１０９が行う動作の一例として、図６の割り当ての場合における信号ｓ（１）及びｓ（３）の処理を説明した。等化部ｂ１０９は、同様にして、すべての信号ｓ（ｍ）（０≦ｍ≦Ｍ−１）について処理を行う。
このように、信号ｓ（ｍ）に干渉となる信号ｓ（ｌ）がある場合は、等化部ｂ１０９は、逆行列演算を伴う重みを算出するＭＩＭＯ重み算出部ｂ１０９４を選択して処理を行う。一方、信号ｓ（ｍ）に干渉となる信号ｓ（ｌ）がない場合は、等化部ｂ１０９は、逆行列演算を伴わない重みを算出するＳＩＭＯ重み算出部ｂ１０９３を選択して処理を行う。すなわち、等化部ｂ１０９は、同一の周波数スペクトルｓ（ｍ）が配置されたサブキャリアに他の周波数スペクトルｓ（ｌ）（ｌ≠ｍ）が配置されているか否かに応じて、等化に用いる重みの演算処理を切り替える。
これにより、等化部ｂ１０９は、計算量の増加を防止しつつ、等化処理を行うことができる。
なお、例えば、図３（ｂ）の割り当ての場合には、すべての信号ｓ（ｍ）に干渉となる信号ｓ（ｌ）がないため、等化部ｂ１０９は、ＳＩＭＯ重み算出部ｂ１０９４のみを選択して処理を行うこととなる。つまり、等化部ｂ１０９は、上記の動作の一例では、信号ｓ（３）の処理と同様の処理を行う。
【００８４】
このように、本実施形態によれば、デマッピング部ｂ１０８は、同一のスペクトル毎に、同一のスペクトルが配置されたサブキャリアのスペクトルを抽出する。等化部ｂ１０９は、デマッピング部ｂ１０８が抽出したサブキャリアのスペクトルを用いて、スペクトルの等化を行う。これにより、基地局装置ａ１が、複数の送信アンテナａ１１０−ｎｔ各々から同一データを送信する場合に、同一の周波数を用いて送信を行うことに限定せず、各送信アンテナａ１１０−ｎｔで異なる周波数を用いても送信を行うことができる。したがって、基地局装置ｂ１の各送信アンテナａ１１０−ｎｔで伝搬路利得が高い周波数を用いて伝送を行うことができ、移動局装置ｂ１における受信電力を向上させることができる。また、各送信アンテナａ１１０−ｎｔから送信された信号は、移動局装置ｂ１において複数の周波数で受信されるため、移動局装置ｂ１の等化部ｂ１０９において周波数合成されることで良好な伝送特性が得られる。
【００８５】
（第２の実施形態）
以下、図面を参照しながら本発明の第２の実施形態について詳しく説明する。
本実施形態では、無線通信システムが、シングルキャリア伝送であるＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ、単一波周波数分割多元接続、ＤＦＴ−Ｓ−ＯＦＤＭ（離散フーリエ変換拡散ＯＦＤＭ）とも称される）を用いる場合について説明をする。
【００８６】
＜無線通信システム２について＞
図９は、本発明の第２の実施形態に係る無線通信システム２の一例を示す概略図である。この図において、無線通信システム２は、基地局装置Ａ２０及びＮ個の移動局装置Ｂ２ｎ（ｎ＝０〜Ｎ−１）を備える。
移動局装置Ｂ２ｎから基地局装置Ａ２０への上りリンクの通信では、伝送方式としてＤＦＴ−Ｓ−ＯＦＤＭが用いられる。移動局装置Ｂ２ｎは、Ｎｔ本の送信アンテナＢ２ｎ−ｎｔ（アンテナ番号、ｎｔ＝０〜Ｎｔ−１）を備える。移動局装置Ｂ２ｎは、Ｎｔ本の送信アンテナを介して信号を基地局装置Ａ２０へ送信する。ここで各移動局装置Ｂ２ｎが具備する送信アンテナ本数は、移動局装置毎に異なってもよい。
基地局装置Ａ２０は、受信アンテナＡ２０−０を備え、移動局装置Ｂ２ｎが送信した信号を受信する。なお、本実施形態では、基地局装置Ａ２０は、一本の受信アンテナＡ２ｎ−０を備える場合について説明をするが、本発明はこれに限らず、複数の受信アンテナを備えていてもよい。
以下、移動局装置Ｂ２ｎ各々を移動局装置ｂ２といい、基地局装置Ａ２０を基地局装置ａ２という。
【００８７】
＜移動局装置ｂ２について＞
図１０は、本実施形態に係る移動局装置ｂ２の構成を示す概略ブロック図である。この図において、移動局装置ｂ２は、受信アンテナｂ２０１（図９では図示せず）、制御情報受信部ｂ２０２、割当情報抽出部ｂ２０３、符号化部ｂ２０４、変調部ｂ２０５、ＤＦＴ（Ｄｉｓｃｒｅｔｅ  Ｆｏｕｒｉｅｒ  Ｔｒａｎｓｆｏｒｍ；離散フーリエ変換）部ｂ２０６、コピー部ｂ２０７、マッピング部ｂ２０８−ｎｔ（ｎｔ＝０〜Ｎｔ−１）、参照信号多重部ｂ２０９−ｎｔ、ＯＦＤＭ信号生成部ｂ２１０−ｎｔ、及び、送信アンテナｂ２１１−ｎｔを含んで構成される。なお、移動局装置ｂ２は、その他、移動局装置の一般的な公知の機能を備える。
【００８８】
制御情報受信部ｂ２０２は、受信アンテナｂ２０１を介して基地局装置ａ２からの信号を受信して復調及び復号する。制御情報受信部ｂ２０２は、復号した情報のうち制御情報を割当情報抽出部ｂ２０３に出力する。
割当情報抽出部ｂ２０３は、制御情報受信部ｂ２０２から入力された制御情報から割当情報（例えば、図３の一例）を抽出する。割当情報は、各マッピング部ｂ２０８−ｎｔでの信号に対する周波数の割り当てを示す。割当情報抽出部ｂ２０３は、抽出した割当情報を、アンテナ番号ｎｔの情報毎に、マッピング部ｂ２０８−ｎｔに出力する。
【００８９】
符号化部ｂ２０４は、音声データ、文字データ、画像データ等のビット系列を入力される。符号化部ｂ２０４は、入力されたビット系列を誤り訂正符号化し、誤り訂正符号化した符号化ビットを、変調部ｂ２０５に出力する。ここで、符号化部ｂ２０４は、制御情報受信部ｂ２０２が復号した情報のうち制御情報の符号化率に基づいて誤り訂正符号化する。
変調部ｂ２０５は、符号化部ｂ２０４から入力された符号化ビットを変調する。変調部ｂ２０５は、変調後の信号を、ＮＤＦＴポイント毎にＤＦＴ部ｂ２０６に出力する。なお、変調部ｂ２０５が行う変調では、ＱＰＳＫや１６ＱＡＭ等の変調等の変調方式であって、制御情報受信部ｂ２０２が復号した情報のうち制御情報の変調方式が用いられる。
【００９０】
ＤＦＴ部ｂ２０６は、変調部ｂ２０５から入力された信号に対して、ＮＤＦＴポイントの離散フーリエ変換を行うことにより、信号を時間領域信号から周波数領域信号へ変換する。ＤＦＴ部ｂ２０６は、変換後の信号を、ＮＤＦＴ個毎にコピー部ｂ２０７に出力する。以下、出力される信号を、ｓ（ｍ）（ｍ＝０〜ＮＤＦＴ−１）で表す。
コピー部ｂ２０７は、ＤＦＴ部ｂ２０６から入力された信号ｓ（ｍ）をコピーして、送信アンテナ数Ｎｔ個の信号ｓ（ｍ）を生成する。コピー部ｂ２０７は、生成した信号ｓ（ｍ）各々を、マッピング部ｂ２０８−０〜ｂ２０８−（Ｎｔ−１）に出力する。
【００９１】
マッピング部ｂ２０８−ｎｔは、割当情報抽出部ｂ２０３から入力された割当情報が示す周波数に、コピー部ｂ２０７から入力された信号ｓ（ｍ）を配置する。具体的には、マッピング部ｂ２０８−ｎｔは、割当情報が示す周波数の周波数ポイントｐであって、フーリエ変換に用いる周波数ポイントｐのうち自装置に割り当てられたＮＤＦＴ個の周波数ポイントに、信号ｓ（ｍ）を配置する。例えば、図３の例では移動局装置Ｂ１０のマッピング部ｂ２０８−０は、周波数ポイント「１」〜「６」に信号ｓ（ｍ）を配置する。ここで、ＮＤＦＴを「周波数スペクトル数」とも称する。マッピング部ｂ２０８−ｎｔは、配置した周波数スペクトルｓ（ｍ）を参照信号多重部ｂ２０９−ｎｔに出力する。
【００９２】
参照信号多重部ｂ２０９−ｎｔは、マッピング部ｂ２０８−ｎｔから入力された周波数スペクトル（データ信号とも称す）、基地局装置ａ２が移動局装置ｂ２に割り当てる周波数を決定するために用いられる参照信号（ＳＲＳ（Ｓｏｕｎｄｉｎｇ  Ｒｅｆｅｒｅｎｃｅ  Ｓｉｇｎａｌ、サウンディング参照信号）とも呼ばれる）、及び、基地局装置ａ２が伝搬路補償を行うために用いられる参照信号（ＤＭＲＳ（ＤｅＭｏｄｕｌａｔｉｏｎ  Ｒｅｆｅｒｅｎｃｅ  Ｓｉｇｎａｌ、復調用参照信号）とも呼ばれる）を多重することで、送信フレームの信号を生成する。ここで、参照信号多重部ｂ２０９−ｎｔは、ＳＲＳを伝送に用いるシステム帯域全体に配置し、ＤＭＲＳをデータ信号の送信帯域に配置する。参照信号多重部ｂ２０９−ｎｔは、生成した送信フレームの信号を、ＯＦＤＭ信号生成部ｂ２１０−ｎｔに出力する。
【００９３】
ＯＦＤＭ信号生成部ｂ２１０−ｎｔは、参照信号多重部ｂ２０９−ｎｔから入力された信号に対して、ＮＦＦＴポイントのＩＦＦＴを行うことにより、信号を周波数領域信号から時間領域信号（ＳＣ−ＦＤＭＡシンボルという）へ変換する。ＯＦＤＭ信号生成部ｂ２１０−ｎｔは、ＳＣ−ＦＤＭＡシンボルに対して、ガードタイムに相当するＣＰを挿入する。ＯＦＤＭ信号生成部ｂ２１０−ｎｔは、ＣＰを挿入したＳＣ−ＦＤＭＡシンボルに対して、Ｄ／Ａ（ディジタル−アナログ）変換、アナログ・フィルタリング、及びベースバンドから搬送波周波数へのアップコンバージョンの処理を行う。ＯＦＤＭ信号生成部ｂ２１０−ｎｔは、処理後の信号を送信アンテナｂ２１１−ｎｔを介して送信する。
【００９４】
図１１は、本実施形態に係る周波数スペクトルの割り当ての一例を示す概略図である。この図は、Ｎｔ＝２の場合の図である（図１２も同様）。また、この図は、図３の割当情報の場合に、送信アンテナｂ２１１−０、ｂ２１１−１から送信される周波数スペクトルの割り当てを示す。
図１１において、送信アンテナｂ２１１−０では、周波数ポイント１〜６に、それぞれ、周波数スペクトルｓ（０）〜ｓ（５）が割り当てられている。一方、送信アンテナｂ２１１−１では、周波数ポイント５〜１０に、それぞれ、周波数スペクトルｓ（０）〜ｓ（５）が割り当てられている。つまり、アンテナ番号ｎｔ＝０に対応するマッピング部ｂ２０８−０では、周波数ポイント１〜６に、それぞれ、信号ｓ（０）〜ｓ（５）を配置する。一方、アンテナ番号ｎｔ＝１に対応するマッピング部ｂ２０８−１では、周波数ポイント５〜１０に、それぞれ、信号ｓ（０）〜ｓ（５）を配置する。
【００９５】
図１２は、本実施形態に係る周波数スペクトルの割り当ての別の一例を示す概略図である。図１２において、送信アンテナｂ２１１−０では、周波数ポイント２〜７に、それぞれ、周波数スペクトルｓ（０）〜ｓ（５）が割り当てられている。一方、送信アンテナｂ２１１−１では、周波数ポイント３〜８に、それぞれ、周波数スペクトルｓ（０）〜ｓ（５）が割り当てられている。つまり、マッピング部ｂ２０８−０では、周波数ポイント１〜６に、それぞれ、信号ｓ（０）〜ｓ（５）を配置する。一方、マッピング部ｂ２０８−１では、周波数ポイント３〜８に、それぞれ、信号ｓ（０）〜ｓ（５）を配置する。
【００９６】
図１３は、本実施形態に係る周波数スペクトルの割り当ての別の一例を示す概略図である。この図は、Ｎｔ＝３の場合の図である。図１３において、送信アンテナｂ２１１−０では、周波数ポイント２〜７に、それぞれ、周波数スペクトルｓ（０）〜ｓ（５）が割り当てられている。送信アンテナｂ２１１−１では、周波数ポイント４〜９に、それぞれ、周波数スペクトルｓ（０）〜ｓ（５）が割り当てられている。送信アンテナｂ２１１−２では、周波数ポイント８〜１３に、それぞれ、周波数スペクトルｓ（０）〜ｓ（５）が割り当てられている。
つまり、マッピング部ｂ２０８−０では、周波数ポイント１〜６に、それぞれ、信号ｓ（０）〜ｓ（５）を配置する。マッピング部ｂ２０８−１では、周波数ポイント４〜９に、それぞれ、信号ｓ（０）〜ｓ（５）を配置する。マッピング部ｂ２０８−２では、周波数ポイント８〜１３に、それぞれ、信号ｓ（０）〜ｓ（５）を配置する。
なお、本実施形態に係る移動局装置ｂ２は、図４又は図５に示す割り当てを行ってもよく、例えば、図４又は図５の割り当てと、図１１〜図１３に示す割り当てと、からいずれかの割り当てを選択してもよい。
【００９７】
＜基地局装置ａ２について＞
図１４は、本実施形態に係る基地局装置ａ２の構成を示す概略ブロック図である。この図において、基地局装置ａ２は、受信アンテナａ２０１、ＯＦＤＭ信号受信部ａ２０２、参照信号分離部ａ２０３、伝搬路推定部ａ２０４、スケジューリング部ａ２０５、デマッピング部ａ２０６、等化部ａ２０７、ＩＤＦＴ（Ｉｎｖｅｒｓｅ  Ｄｉｓｃｒｅｔｅ  Ｆｏｕｒｉｅｒ  Ｔｒａｎｓｆｏｒｍ；逆離散フーリエ変換）部ａ２０８、復調部ａ２０９、復号部ａ２１０、及び送信アンテナａ２１１（図９では図示せず）を含んで構成される。なお、基地局装置ａ２は、その他、基地局装置の一般的な公知の機能を備える。なお、本実施形態では、受信アンテナ数を「１」個としているが、本発明はこれに限らず、基地局装置ａ２は、複数個の受信アンテナを備え、公知の技術を用いて、受信ダイバーシチ利得を得てもよいし、ＭＩＭＯの信号分離能力を向上してもよい。
【００９８】
ＯＦＤＭ信号受信部ａ２０２は、受信アンテナａ２０１を介して受信した信号に対して、搬送波周波数からベースバンド信号へのダウンコンバート、アナログ・フィルタリング、及びＡ／Ｄ（アナログ−ディジタル）変換の処理を行う。ＯＦＤＭ信号受信部ａ２０２は、処理後の信号からＳＣ−ＦＤＭＡシンボル毎にＣＰを除去し、ＣＰを除去したＳＣ−ＦＤＭＡシンボルの信号に対して、ＮＦＦＴポイントの高速フーリエ変換を行うことにより、信号を時間領域信号から周波数領域信号へ変換する。ＯＦＤＭ信号受信部ａ２０２は、処理後の信号を参照信号分離部ａ２０３に出力する。
【００９９】
参照信号分離部ａ２０３は、ＯＦＤＭ信号受信部ａ２０２から入力された信号を、ＳＲＳ、ＤＭＲＳ、及び、データ信号に分離する。参照信号分離部ａ２０３は、分離したＳＲＳ及びＤＭＲＳを伝搬路推定部ａ２０４に出力し、データ信号をデマッピング部ａ２０６に出力する。
【０１００】
伝搬路推定部ａ２０４は、参照信号分離部ａ２０３から入力されたＤＭＲＳを用いて、移動局装置ｂ２の送信アンテナｂ２１１−０〜ｂ２１１−Ｎｔ−１各々と受信アンテナａ２０１との無線伝搬路の伝搬路推定値（位相及び振幅）であって、データ信号の送信帯域の伝搬路推定値を推定する。伝搬路推定部ａ２０４は、ＤＭＲＳで推定した伝搬路推定値を等化部ａ２０６に出力する。
さらに伝搬路推定部ａ２０４は、参照信号分離部ａ２０３から入力されたＳＲＳを用いて、移動局装置ｂ２の送信アンテナｂ２１１−０〜ｂ２１１−Ｎｔ−１各々と受信アンテナａ２０１との無線伝搬路の伝搬路品質（電力あるいは振幅）であって、システム帯域全体の伝搬路品質を推定する。伝搬路推定部ａ２０４は、ＳＲＳで推定した伝搬路品質をスケジューリング部ａ２０５に出力する。
【０１０１】
スケジューリング部ａ２０５は、伝搬路推定部ａ２０４から入力された伝搬路品質に基づいて、各移動局装置ｂ２での信号に対する周波数の割り当てを示す割当情報を決定する。例えば、スケジューリング部ａ２０５は、各移動局装置ｂ２の送信アンテナｂ２１１−ｎｔ毎に、伝搬路品質が最大となる周波数を、その移動局装置ｂ２の信号に対して割り当てるように、割当情報を決定する。スケジューリング部ａ２０５は、決定した割当情報（例えば、図３の一例）を記憶する。また、スケジューリング部ａ２０５は、伝搬路品質に基づいて、変調方式及び符号化率を決定する。
スケジューリング部ａ２０５は、記憶する割当情報をデマッピング部ａ２０６及び等化部ａ２０７に出力する。また、スケジューリング部ａ２０５は、記憶する割当情報、決定した変調方式及び符号化率を含む制御情報を生成し、生成した制御情報を符号化及び変調する。スケジューリング部ａ２０５は、変調した制御情報の信号を、送信アンテナａ２１１を介して送信する。
【０１０２】
デマッピング部ａ２０６は、スケジューリング部ａ２０５から入力された割当情報に基づいて、参照信号分離部ａ２０３から入力されたデータ信号から、ｓ（ｍ）毎に関連する各周波数ポイントｐの信号ｒ（ｐ）を抽出する。抽出法の詳細は後述する。デマッピング部ａ２０６は、抽出した信号ｒ（ｐ）を、等化部ａ２０７に出力する。
【０１０３】
等化部ａ２０７は、スケジューリング部ａ２０５から入力された割当情報及び伝搬路推定部ｂ１０７から入力された伝搬路推定値に基づいて、デマッピング部ａ２０６から入力された信号ｒ（ｐ）に対して、等化処理を行う。なお、等化処理の詳細については、等化部ａ２０７の構成と併せて後述する。等化部ａ２０７は、等化処理後の信号ｓ’（ｍ）をＩＤＦＴ部ａ２０８に出力する。
【０１０４】
ＩＤＦＴ部ａ２０８は、等化部ａ２０７から入力された信号に対して、ＮＤＦＴポイントの逆離散フーリエ変換を行うことにより、信号を周波数領域信号から時間領域信号へ変換する。ＩＤＦＴ部ａ２０８は、変換後の信号を、復調部ａ２０９に出力する。
復調部ａ２０９は、スケジューリング部ａ２０５が決定した変調方式を用いて、ＩＤＦＴ部ａ２０８から入力された信号を復調する。復調部ａ２０９は、信号を復調した符号化ビットを、復号部ａ２１０に出力する。
復号部ａ２１０は、スケジューリング部ａ２０５が決定した符号化率に基づいて、復調部ａ２０９から入力された符号化ビットを誤り訂正復号する。復号部ａ２１０は、復号したビット系列を出力する。
【０１０５】
＜デマッピング部ａ２０６について＞
図１５は、本実施形態に係るデマッピング部ａ２０６が行う信号ｓ（ｍ）毎の選択処理の一例を示すフローチャートである。
【０１０６】
（ステップＳ１０１）デマッピング部ａ２０６は、割当情報から対象の移動局装置ｂ２の信号ｓ（ｍ）を選択する。その後、ステップＳ１０２に進む。
（ステップＳ１０２）デマッピング部ａ２０６は、ステップＳ１０１で選択した信号ｓ（ｍ）毎に、信号ｓ（ｍ）対応付けられた周波数ポイントｐを抽出する。その後、ステップＳ１０３に進む。
（ステップＳ１０３）デマッピング部ａ２０６は、ステップＳ１０２及びステップＳ１０５で抽出した周波数ポイントｐに配置された信号ｒ（ｐ）を選択する。その後、ステップＳ１０４に進む。
【０１０７】
（ステップＳ１０４）デマッピング部ａ２０６は、ステップＳ１０３で選択した信号ｒ（ｐ）に対応する信号ｓ（ｍ）を、割当情報を用いて選択する。デマッピング部ａ２０６は、選択した信号ｓ（ｍ）が含まれる周波数ポイントｐが、ステップＳ１０２及びステップＳ１０５で抽出した周波数ポイントｐに含まれているか否かを判定する。これにより、デマッピング部ａ２０６は、各信号ｓ（ｍ）に関連する信号を全て選択したか否かを判定する。選択していない信号があると判定した場合（ＮＯ）、ステップＳ１０５に進む。一方、各信号ｓ（ｍ）に関連する信号を全て選択したと判定した場合（ＹＥＳ）、ステップＳ１０６に進む。
（ステップＳ１０５）デマッピング部ａ２０６は、割当情報を用いて、ステップＳ１０３で選択した信号ｒ（ｐ）に対応する周波数ポイントｐを抽出する。その後、ステップＳ１０３に戻る。
【０１０８】
（ステップＳ１０６）デマッピング部ａ２０６は、全ての信号ｓ（ｍ）について、ステップＳ１０２からステップＳ１０５までの処理が完了したか否かを判定する。処理が完了したと判定した場合、動作を終了する。一方、処理が完了していない（処理をしていない信号ｓ（ｍ）がある）と判定した場合、ステップＳ１０２に戻る。
このように、デマッピング部ａ２０６は、対象の信号ｓ（ｍ）が送信された周波数ポイントｐの信号ｒ（ｐ）のみを選択するのではなく、対象となる信号ｓ（ｍ）と同じ周波数ポイントで送信された信号ｓ（ｍ）を選択し、選択した信号ｓ（ｍ）が送信された周波数ポイントｐの信号ｒ（ｐ）も選択し、選択された受信信号すべてを等化部に入力する。
【０１０９】
以下、デマッピング部ａ２０６が行う信号ｓ（ｍ）毎のスペクトルの選択処理について、一部重複の場合における信号ｓ（０）の選択処理を例に説明する。なお、以下では、信号ｓ（０）の選択処理について説明をするが、デマッピング部ａ２０６は、他の信号ｓ（ｍ）についても同様に信号ｓ（ｍ）毎の選択処理を行う。
【０１１０】
４）図１１に示す割り当て（図３の割当情報）の一例の場合
デマッピング部ａ２０６は、信号ｓ（０）が配置された周波数ポイント「１」及び「５」を抽出し（ステップＳ１０２）、信号ｒ（１）及びｒ（５）を選択する（Ｓ１０３）。デマッピング部ａ２０６は、信号ｒ（１）、ｒ（５）にそれぞれ対応する信号ｓ（０）、ｓ（０）及びｓ（４）を選択し（図１１参照）、選択していない信号ｓ（４）があると判定する（ステップＳ１０４）。デマッピング部ａ２０６は、選択した信号ｓ（４）に対応付けられた周波数ポイント「９」を抽出し（ステップＳ１０５、図１１参照）、周波数ポイント「９」の信号ｒ（９）を選択する。デマッピング部ａ２０６は、最終的に信号ｒ（１）、ｒ（５）、及びｒ（９）を選択し、信号ｓ（０）に関連する信号を全て選択したと判定する（ステップＳ１０４；ＹＥＳ）。
【０１１１】
５）図１２に示す割り当ての一例の場合
デマッピング部ａ２０６は、信号ｓ（０）が配置された周波数ポイント「２」及び「３」を抽出し（ステップＳ１０２）、信号ｒ（２）及びｒ（３）を選択する（Ｓ１０３）。その後、デマッピング部ａ２０６は、信号ｒ（３）の信号ｓ（１）に対応付けられた周波数ポイント「４」を抽出し（ステップＳ１０５、図１２参照）、周波数ポイント「４」の信号ｒ（４）を選択する。その後、デマッピング部ａ２０６は、信号ｒ（３）の信号ｓ（２）に対応付けられた周波数ポイント「５」を抽出し（ステップＳ１０５）、周波数ポイント「５」の信号ｒ（５）を選択する。その後、デマッピング部ａ２０６は、最終的に信号ｒ（４）〜ｒ（８）を選択し（Ｓ１０５）、信号ｓ（０）に関連する信号を全て選択したと判定する（ステップＳ１０４；ＹＥＳ）。
【０１１２】
６）図１３に示す割り当ての一例の場合
デマッピング部ａ２０６は、信号ｓ（０）が配置された周波数ポイント「２」、「４」及び「８」を抽出し（ステップＳ１０２）、信号ｒ（２）、ｒ（４）及びｒ（８）を選択する（Ｓ１０３）。その後、結合部ａ２０７１は、信号ｒ（４）の信号ｓ（２）に対応付けられた周波数ポイント「４」、「６」及び「１０」、信号ｒ（８）の信号ｓ（４）に対応付けられた周波数ポイント「６」、「８」及び「１２」を抽出する（ステップＳ１０５、図１２参照）。デマッピング部ａ２０６は、周波数ポイント「６」、「８」、「１０」、及び「１２」の信号ｒ（６）、ｒ（８）、ｒ（１０）、及びｒ（１２）を選択する。デマッピング部ａ２０６は、信号ｒ（２）、ｒ（４）、ｒ（６）、ｒ（８）、ｒ（１０）、及びｒ（１２）を選択し（Ｓ１０５）、信号ｓ（０）に関連する信号を全て選択したと判定する（ステップＳ１０４；ＹＥＳ）。
デマッピング部ａ２０６は、選択したすべてのｒ（ｐ）を等化部に入力する。
＜等化部ａ２０７について＞
図１６は、本実施形態に係る等化部ａ２０７の構成を示す概略ブロック図である。この図において、等化部ａ２０７は、結合部ａ２０７１、伝搬路行列生成部ａ２０７２、重み算出部ａ２０７３、重み乗算部ａ２０７４を含んで構成される。
【０１１３】
結合部ａ２０７１は、スケジューリング部ａ２０５から入力される割当情報に基づいて、信号ｓ（ｍ）毎に選択した信号ｒ（ｐ）からベクトルＲｍを生成する。ここで、ベクトルＲｍのｍは、信号ｓ（ｍ）毎の選択処理で選択された信号ｒ（ｐ）に対応するｓ（ｍ）の周波数ポイントｍを示し、例えば、上記の「４）図１１に示す割り当ての一例の場合」には、ベクトルＲｍは、ベクトルＲ０，４と表される。
結合部ａ２０７１は、生成したベクトルＲｍを重み乗算部ａ２０７４に出力する。
【０１１４】
伝搬路行列生成部ａ２０７２は、スケジューリング部ａ２０５から入力された割当情報及び伝搬路推定部ａ２０４から入力された伝搬路推定値に基づいて、信号ｓ（ｍ）毎に伝搬路行列を生成する。
具体的には、伝搬路行列生成部ａ２０７２は、信号ｓ（ｍ）毎に、信号ｓ（ｍ）毎の選択処理で選択された信号ｒ（ｐ）の周波数ポイントｐ及びその信号ｒ（ｐ）に対応する信号ｓ（ｍ）が送信されたアンテナ番号ｎｔの伝搬路推定値（Ｈｎｔ（ｐ）で表す）を選択する。伝搬路行列生成部ａ２０７２は、選択した伝搬路推定値Ｈｎｔ（ｐ）からなる伝搬路行列Ｈｍを生成する。なお、伝搬路行列Ｈｍのｍは、信号ｓ（ｍ）毎の選択処理で選択された信号ｒ（ｐ）に対応するｓ（ｍ）の周波数ポイントｍを示し、例えば、上記の「４）図１１に示す割り当ての一例の場合」には、伝搬路行列Ｈｍは、伝搬路行列Ｈ０，４と表される。伝搬路行列生成部ｂ１０９２は、生成した伝搬路行列Ｈｍを重み算出部ａ２０７３に出力する。
【０１１５】
重み算出部ａ２０７３は、伝搬路行列生成部ａ２０７２から入力された伝搬路行列Ｈｍを用いて、次式（１２）を用いて重みベクトルｗｍを算出する。なお、重みベクトルｗｍのｍは、信号ｓ（ｍ）毎の選択処理で選択された信号ｒ（ｐ）に対応するｓ（ｍ）の周波数ポイントｍを示し、例えば、上記の「４）図１１に示す割り当ての一例の場合」には、重みベクトルｗｍは、重みベクトルｗ０，４と表される。
【０１１６】
【数１１】
0005704555.tif 000012
【０１１７】
ここで、σ２は平均雑音電力、Ｉは単位行列である。なお、平均雑音電力σ２は、雑音推定部（図示せず）により算出され、重み算出部ａ２０７３に入力される。
重み算出部ａ２０７３は、算出した重みベクトルｗｍを重み乗算部ａ２０７４に出力する。なお、重み算出部ａ２０７３は、ＭＭＳＥ（Ｍｉｎｉｍｕｍ  Ｍｅａｎ  Ｓｑｕａｒｅ  Ｅｒｒｏｒ、最小平均２乗誤差）重みを用いた式（１２）で重みベクトルｗｍを算出しているが、本発明はこれに限られない。例えば、重み算出部ａ２０７３は、平均雑音電力を考慮しないＺＦ（Ｚｅｒｏ  Ｆｏｒｃｉｎｇ）等、他の基準の重みを用いてＭＩＭＯ重みベクトルｗｍを算出してもよい。また、等化部ａ２０７が行う等化処理は、繰り返し等化処理やＭＬＤ等、他の信号分離法を用いた処理であってもよい。
【０１１８】
重み乗算部ａ２０７４は、結合部ａ２０７１から入力された信号ベクトルＲｍに対して、重み算出部ａ２０７３から入力された重みベクトルｗｍを乗算する。これにより、基地局装置ａ２は、信号ｓ（ｍ）に相当する信号ｓ’（ｍ）を得ることができる。重み乗算部ａ２０７４は、重みベクトルを乗算した信号ｓ’（ｍ）をＩＤＦＴ部ａ２０８に出力する。
【０１１９】
以下、等化部ａ２０７が行う動作の一例について説明する。
【０１２０】
４）図１１に示す割り当て（図３の割当情報）の一例の場合
信号ｓ（０）に対して、デマッピング部ａ２０６が選択した信号ｒ（１）、ｒ（５）、及びｒ（９）は、伝搬路推定値Ｈｎｔ（ｐ）及び信号ｓ（ｍ）を用いて、次式（１３）で表される。
【０１２１】
【数１２】
0005704555.tif 000013
【０１２２】
なお、式（１３）は、基地局装置ａ２での雑音や他の通信装置からの干渉を無視した場合の式である。ここで、式（１３）は、３つの周波数ポイントでの受信信号ｒ（ｐ）を表すが、３本の受信アンテナで受信されたと考えることもできる。そこで、等化部ａ２０７内の結合部ａ２０７１では、受信周波数ポイントｐ毎の信号を結合し、３×１（３行１列）のベクトルＲ０，４を生成する。このベクトルＲ０，４は、次式（１４）で表される。
【０１２３】
【数１３】
0005704555.tif 000014
【０１２４】
結合部ａ２０７１は、ベクトルＲ０，４を重み乗算部ａ２０７４に出力する。
一方、伝搬路行列生成部ａ２０７２は、伝搬路推定部ａ２０４から入力される伝搬路推定値と、スケジューリング部から入力される割当情報を用いて伝搬路行列Ｈ０，４を算出し、算出した行列を重み算出部ａ２０７３に出力する。重み算出部ａ２０７３は、次式（１５）で表される重みベクトルｗ０，４を算出する。
【０１２５】
【数１４】
0005704555.tif 000015
【０１２６】
なお、等化部ａ２０７では、結合部ａ２０７１が信号ｓ（ｍ）に対応する信号ｒ（ｐ）だけではなく、関連する信号も組み合わせたベクトルＲ０，４を重み乗算部ａ２０７４に出力する。そのため、重み算出部ａ２０７３は、関連する信号（信号ｓ（４））の等化に用いる成分をも含む重みベクトルｗ０，４を生成する。
【０１２７】
このように、等化部ａ２０７では、対象とする信号ｓ（ｍ）が送信された周波数ポイントｍだけでなく、関連する信号が送信された周波数ポイントをも考慮された重みベクトルを生成して処理することで、ＭＩＭＯの信号分離精度を向上させることができる。
また、等化部ａ２０７は、信号ｓ（ｍ）が配置された周波数ポイントｐを全て含むように、ベクトルＲｍの組み合わせを選択し、その組合せのベクトルＲｍのみを処理してその他のベクトルＲｍの処理を行わなくてもよい。この場合、等化部ａ２０７は、選択したベクトルＲｍの組み合わせに対応する伝搬路行列Ｈｍ、重みベクトルｗｍのみを生成及び演算すればよく、それ以外の伝搬路行列Ｈｍ、重みベクトルｗｍについては生成及び演算しなくてもよい。つまり、等化部ａ２０７は、伝搬路行列Ｈｍや重みベクトルｗｍに関する生成処理及び演算処理を削減することができ、回路内の計算量を削減できる。また、等化部ａ２０７の各部は、ベクトルＲｍの組み合わせの数が最小になるように、ｍを選択してもよい。
例えば、等化部ａ２０７は、本例では、ベクトルＲ０，４、Ｒ１，５、Ｒ２、Ｒ３に対する処理を行えばよく、Ｒ４、Ｒ５に対する処理を行わなくてもよい。このように、等化部ａ２０７は、重みベクトルｗ０，４を１つの重みを算出する（逆行列演算を１回行なう）だけで、複数の信号ｓ（０）、ｓ（４）の等化処理を行なうことができるため、信号ｓ（ｍ）毎に重みベクトルｗＳ（ｍ）（ｗＳ（０）、ｗＳ（４））を算出する場合と比較して、回路内の計算量を削減できる。
【０１２８】
重み乗算部ａ２０７４は、結合部ａ２０７１から入力されたベクトルＲ０，４に対して、重み算出部ａ２０７３から入力された重みベクトルｗ０，４を乗算する。乗算後の信号ｓ’（ｍ）は、次式（１６）で表される。
【０１２９】
【数１５】
0005704555.tif 000016
【０１３０】
等化部ａ２０７は、上記のベクトルＲ０，４に対する処理と同様にして、ベクトルＲ１，５、Ｒ２、Ｒ３に対する処理を行う。
【０１３１】
５）図１２に示す割り当ての一例の場合
信号ｓ（０）に対して、結合部ａ２０７１は、ベクトルＲ０，１，２，３，４，５を生成する。ベクトルＲ０，１，２，３，４，５は、次式（１７）で表される
【０１３２】
【数１６】
0005704555.tif 000017
【０１３３】
結合部ａ２０７１は、ベクトルＲ０，１，２，３，４，５を重み乗算部ａ２０７４に出力する。伝搬路行列生成部ａ２０７２は、伝搬路行列Ｈ０，１，２，３，４，５を算出して重み算出部ａ２０７３に出力する。重み算出部ａ２０７３は、式（１２）で表される重みベクトルｗ０，１，２，３，４，５を算出して重み乗算部ａ２０７４に出力する。重み乗算部ａ２０７４は、結合部ａ２０７１から入力されたベクトルＲ０，１，２，３，４，５に対して、重み算出部ａ２０７３から入力された重みベクトルｗ０，１，２，３，４，５を乗算する。
【０１３４】
６）図１３に示す割り当ての一例の場合
信号ｓ（０）に対して、結合部ａ２０７１は、ベクトルＲ０，２，４を生成する。ベクトルＲ０，２，４をは、次式（１８）で表される。
【０１３５】
【数１７】
0005704555.tif 000018
【０１３６】
結合部ａ２０７１は、ベクトルＲ０，２，４を重み乗算部ａ２０７４に出力する。伝搬路行列生成部ａ２０７２は、伝搬路行列Ｈ０，２，４を算出して重み算出部ａ２０７３に出力する。重み算出部ａ２０７３は、式（１２）で表される重みベクトルｗ０，２，４を算出して重み乗算部ａ２０７４に出力する。重み乗算部ａ２０７４は、結合部ａ２０７１から入力されたベクトルＲ０，２，４に対して、重み算出部ａ２０７３から入力された重みベクトルｗ０，２，４を乗算する。
等化部ａ２０７は、上記のベクトルＲ０，２，４に対する処理と同様にして、ベクトルＲ１，３，５に対する処理を行う。
【０１３７】
このように、本実施形態では、等化部ａ２０７が、対象のスペクトルが送信された周波数ポイントのみを抽出するのではなく、対象となるスペクトルと同じ周波数ポイントで送信されたスペクトルが送信された周波数ポイントの抽出も行なう。これにより、本実施形態では、基地局装置ａ２では、より多くの情報を用いてＭＩＭＯ分離を行なうことができるため、ＭＩＭＯ分離精度が改善する。したがって、基地局装置ａ２では、伝送特性を改善することができる。
【０１３８】
図１７に、本実施形態の伝送特性の計算機シミュレーション結果を示す。図１７は、本実施形態に係る無線通信システム２の効果を説明する説明図である。この図において、横軸は平均受信電力対雑音比（Ｓｉｇｎａｌ  ｔｏ  Ｎｏｉｓｅ  ｐｏｗｅｒ  ｒａｔｉｏ；ＳＮＲ）であり、縦軸はビット誤り率（Ｂｉｔ  Ｅｒｒｏｒ  Ｒａｔｅ；  ＢＥＲ）である。また、実線は、本実施形態に係る等化処理であって、対象となるスペクトルと同じ周波数ポイントで送信されたスペクトルが送信された周波数ポイントの抽出も行なったときの等化処理（等化処理１）を用いた場合のシミュレーション結果を示す。一方、破線は、第１の実施形態に係る等化処理であって、対象のスペクトルが送信された周波数ポイントのみを抽出するときの等化処理（等化処理２）を用いた場合のシミュレーション結果を示す。
なお、シミュレーション条件は、送信アンテナ数Ｎｔ＝２、受信アンテナ数１、変調方式ＱＰＳＫ、拘束長７の畳み込み符号、符号化率１／２、ＮＦＦＴ＝２５６、ＮＤＦＴ＝６４、等化方法は１タップＭＭＳＥ，伝搬路は１６パス等電力レイリーフェージングとし、伝搬路推定は理想的に行われるものとしている。Δは第０送信アンテナに対する第１送信アンテナの割り当てのズレであり、Δ＝１の場合、２つの送信アンテナで６３ポイント割り当てが重複しており、Δ＝３２の場合、３２ポイント割り当てが重複していることになる。
図１７は、実線の等化処理１を用いた場合の方が破線の等化処理２を用いた場合より、ビット誤り率が低く、良好な特性を得ることができることを示す。つまり、本実施形態に係る無線通信システム２では、無線通信システム１と比較してＭＩＭＯ分離精度が改善することができ、伝送特性を改善することができる。
【０１３９】
なお、本実施形態において、他の移動局装置ｂ２から、同一周波数で信号が送信されるＭＵ−ＭＩＭＯが併用された場合は、等化部が他の信号を分離、抑圧する既存の受信技術を併用すればよい。
【０１４０】
（第３の実施形態）
以下、図面を参照しながら本発明の第３の実施形態について詳しく説明する。本実施形態では、無線通信システムが、全重複の場合に、周波数に配置する信号の少なくとも１つに対して、異なる信号ｓ（ｍ）を配置する場合について説明をする。
なお、本実施形態に係る無線通信システムの一例の概略図は、図９と同じであるので説明は省略する。以下、図９の移動局装置Ｂ２ｎ各々を移動局装置ｂ３といい、基地局装置Ａ２０を基地局装置ａ３という。
【０１４１】
＜移動局装置ｂ３について＞
図１８は、本発明の第３の実施形態に係る移動局装置ｂ３の構成を示す概略ブロック図である。本実施形態に係る移動局装置ｂ３（図１８）と第２の実施形態に係る移動局装置ｂ２（図１０）とを比較すると、割当情報抽出部ｂ３０３、及び並び替え部ｂ３１２−ｎｔ（ｎｔ＝０〜Ｎｔ−１）が異なる。しかし、他の構成要素（受信アンテナｂ２０１（図９では図示せず）、制御情報受信部ｂ２０２、符号化部ｂ２０４、変調部ｂ２０５、ＤＦＴ部ｂ２０６、コピー部ｂ２０７、マッピング部ｂ２０８−ｎｔ、参照信号多重部ｂ２０９−ｎｔ、ＯＦＤＭ信号生成部ｂ２１０−ｎｔ、及び、送信アンテナｂ２１１−ｎｔ）が持つ機能は第２の実施形態と同じである。第２の実施形態と同じ機能の説明は省略する。
【０１４２】
割当情報抽出部ｂ３０３は、制御情報受信部ｂ２０２から入力された制御情報から割当情報を抽出する。割当情報は、各マッピング部ｂ２０８−ｎｔでの信号に対する周波数の割り当てを示す。ここで、割当情報が示す割り当ては、全重複の割り当てであって、周波数に配置する信号の少なくとも１つに対して異なる信号ｓ（ｍ）を配置することを示す割り当てである（例えば、図１９の一例）。
割当情報抽出部ｂ２０３は、抽出した割当情報のうち信号ｓ（ｍ）の並び順を示す割当情報を、アンテナ番号ｎｔの情報毎に、並び替え部ｂ３１２−ｎｔに出力する。また、割当情報抽出部ｂ２０３は、信号ｓ（ｍ）を配置する周波数を示す割当情報を、マッピング部ｂ２０８−ｎｔに出力する。なお、このマッピング部ｂ２０８−ｎｔに出力される割当情報は、全て同じ情報（図２３の一例では、周波数ポイント「１」〜「６」の周波数を示す情報）である。
【０１４３】
並び替え部ｂ３１２−ｎｔは、コピー部ｂ２０７から入力された信号ｓ（ｍ）を、割当情報抽出部ｂ２０３から入力された割当情報が示す並び順に並び替える。並び替え部ｂ３１２−ｎｔは、並び替えた信号をマッピング部ｂ２０８−ｎｔに出力する。なお、マッピング部ｂ２０８−ｎｔは、並び替え部ｂ３１２−ｎｔから入力された信号を、入力された順序に対して、割当情報抽出部ｂ２０３から入力された割当情報が示す周波数の小さい順序で配置する。ただし、本発明はこれに限らず、入力された順序と周波数への配置順序が予め定められていればよい。
また、並び替え部ｂ３１２−ｎｔは、予め定めた並び替えのパターンを記憶し、割当情報として並び替えのパターンを識別するパターン識別情報を入力されてもよい。この場合、基地局装置ａ３は、制御情報としてパターン識別情報を、各移動局装置ｂ３に通知する。また、基地局装置ａ３は、信号ｓ（ｍ）の並び順を示す割当情報を伝送機会毎に通知してもよい。
また、移動局装置ｂ３は、各並び替え部ｂ３１２−ｎｔでの並び替えのパターンを示すパターン識別情報と、アンテナ番号ｎｔと、対応付けた制御情報を、基地局装置ａ３に通知してもよい。この場合、基地局装置ａ３は、移動局装置ｂ３から通知された制御情報に基づいて、信号の配置を特定する。
【０１４４】
図１９は、本実施形態に係る割当情報の一例を示す概略図である。この図は、アンテナ数Ｎｔ＝２、周波数スペクトル数Ｍ＝６の場合の割当情報の一例を示す。図示するように割当情報は、アンテナ番号ｎｔ、周波数ポイントｐ、移動局装置、及び信号の各項目の列を有している。割当情報は、アンテナ番号ｎｔ及び周波数ポイントｐ毎に、そこに配置する信号ｓ（ｍ）が対応付けられている。
例えば、図１９は、アンテナ番号ｎｔ＝０のマッピング部ｂ２０８−０では、周波数ポイント１、２、３、４、５、６に、それぞれ、図９の移動局装置Ｂ２０の信号ｓ（２）、ｓ（５）、ｓ（４）、ｓ（３）、ｓ（０）、ｓ（１）を配置することを示す。また、図１９は、アンテナ番号ｎｔ＝１のマッピング部ｂ２０８−１では、周波数ポイント１、２、３、４、５、６に、それぞれ、移動局装置Ｂ２０の信号ｓ（２）、ｓ（３）、ｓ（４）、ｓ（５）、ｓ（０）、ｓ（１）を配置することを示す。
【０１４５】
以下、図２０〜図２２を用いて、並び替え部ｂ３１２−ｎｔが行う信号ｓ（ｍ）の並び替えについて説明をする。
図２０は、本実施形態に係る並び替え部ｂ３１２−ｎｔに入力される信号ｓ（ｍ）を示す概略図である。この図は、並び替え部ｂ３１２−ｎｔが、信号ｓ（０）、ｓ（１）、ｓ（２）、ｓ（３）、ｓ（４）、ｓ（５）の順に信号ｓ（ｍ）を入力されることを示す。
例えば、図１９に示す割当情報の場合、並び替え部ｂ３１２−０は、入力された信号ｓ（ｍ）を並び替えず、そのまま出力する。この場合、マッピング部ｂ２０８−０は、周波数が小さい順に、信号ｓ（０）、ｓ（１）、ｓ（２）、ｓ（３）、ｓ（４）、ｓ（５）を配置する。
【０１４６】
図２１は、本実施形態に係る並び替え部ｂ３１２−ｎｔから出力される信号ｓ（ｍ）の一例を示す概略図である。この図は、並び替え部ｂ３１２−ｎｔが、図２０の順序で入力された信号を、図２１の順序に並び替えたことを示す。また、この図は、並び替え部ｂ３１２−ｎｔが、信号ｓ（２）、ｓ（５）、ｓ（４）、ｓ（３）、ｓ（０）、ｓ（１）の順に信号ｓ（ｍ）を出力することを示す。
【０１４７】
図２２は、本実施形態に係る並び替え部ｂ３１２−ｎｔから出力される信号ｓ（ｍ）の別の一例を示す概略図である。この図は、並び替え部ｂ３１２−ｎｔが、図２０の順序で入力された信号を、図２２の順序に並び替えたことを示す。また、この図は、並び替え部ｂ３１２−ｎｔが、信号ｓ（２）、ｓ（３）、ｓ（４）、ｓ（５）、ｓ（０）、ｓ（１）の順に信号ｓ（ｍ）を出力することを示す。
例えば、図１９に示す割当情報の場合、並び替え部ｂ３１２−１は、入力された信号ｓ（ｍ）を、図２２が示す順序に並び替える。この場合、マッピング部ｂ２０８−１は、周波数が小さい順に、信号ｓ（２）、ｓ（３）、ｓ（４）、ｓ（５）、ｓ（０）、ｓ（１）を配置する。
【０１４８】
図２３は、本実施形態に係る周波数スペクトルの割り当ての一例を示す概略図である。この図は、Ｎｔ＝２の場合の図である。また、この図は、図１９の割当情報の場合に、送信アンテナｂ２１１−０、ｂ２１１−１から送信される周波数スペクトルの割り当てを示す。なお、この場合、並び替え部ｂ３１２−０、ｂ３１２−１は、信号ｓ（ｍ）を、それぞれ、図２０、図２２に示す順序に並び替えて出力する。
図２３において、送信アンテナｂ２１１−０では、周波数ポイント１〜６に、それぞれ、周波数スペクトルｓ（０）〜ｓ（５）が割り当てられている。一方、送信アンテナｂ２１１−１では、周波数ポイント１、２、３、４、５、６に、それぞれ、周波数スペクトルｓ（２）、ｓ（３）、ｓ（４）、ｓ（５）、ｓ（０）、ｓ（１）が割り当てられている。つまり、アンテナ番号ｎｔ＝０に対応するマッピング部ｂ２０８−０では、周波数ポイント１〜６に、それぞれ、信号ｓ（０）〜ｓ（５）を配置する。一方、アンテナ番号ｎｔ＝１に対応するマッピング部ｂ２０８−１では、周波数ポイント１、２、３、４、５、６に、それぞれ、信号ｓ（２）、ｓ（３）、ｓ（４）、ｓ（５）、ｓ（０）、ｓ（１）を配置する。
【０１４９】
なお、ＳＣ−ＦＤＭＡを採用する移動局装置ｂ３は、図２３に示す並び替えのように、周波数軸上で巡回シフトを与えることで、図２２に示す並び替えの場合と比較して、ＰＡＰＲの劣化を抑えることができる。また、移動局装置ｂ３は、並び替えでの巡回シフト量を、ＮＤＦＴ／２としてもよい。
【０１５０】
＜基地局装置ａ３について＞
図２４は、本実施形態に係る基地局装置ａ３の構成を示す概略ブロック図である。本実施形態に係る基地局装置ａ３（図２４）と第２の実施形態に係る基地局装置ａ２（図１４）とを比較すると、スケジューリング部ａ３０５が異なる。しかし、他の構成要素（受信アンテナａ２０１、ＯＦＤＭ信号受信部ａ２０２、参照信号分離部ａ２０３、伝搬路推定部ａ２０４、デマッピング部ａ２０６、等化部ａ２０７、ＩＤＦＴ部ａ２０８、復調部ａ２０９、復号部ａ２１０、及び送信アンテナａ２１１）が持つ機能は第２の実施形態と同じである。第２の実施形態と同じ機能の説明は省略する。
【０１５１】
スケジューリング部ａ３０５は、伝搬路推定部ａ２０４から入力された伝搬路推定値に基づいて、各移動局装置ｂ３での信号に対する周波数の割り当てを示す割当情報を決定する。例えば、スケジューリング部ａ３０５は、移動局装置ｂ２毎に、伝搬路推定値が示す伝搬路品質が最大となる周波数を決定する。また、スケジューリング部ａ３０５は、決定した周波数に配置する信号ｓ（ｍ）の並び順を決定して、決定した周波数と並び順とを示す割当情報（例えば、図１９の一例）を記憶する。なお、スケジューリング部ａ３０５は、移動局装置ｂ３からパターン識別情報を通知された場合には、並び順を、そのパターン識別情報が示すパターンの並び順に決定してもよい。
また、スケジューリング部ａ３０５は、伝搬路推定値に基づいて、変調方式及び符号化率を決定する。スケジューリング部ａ３０５は、記憶する割当情報をデマッピング部ａ２０６及び等化部ａ２０７に出力する。また、スケジューリング部ａ３０５は、記憶する割当情報、決定した変調方式及び符号化率を含む制御情報を生成し、生成した制御情報を符号化及び変調する。スケジューリング部ａ３０５は、変調した制御情報の信号を、送信アンテナａ２１１を介して送信する。
【０１５２】
以下、等化部ａ２０７が行う動作の一例について説明する。図２３に示す割り当て（図１９に示す割当情報）の一例の場合、等化部ａ２０７は、以下の動作を行う。
例えば、信号ｓ（１）に対して、デマッピング部ａ２０６が選択した信号ｒ（２）、ｒ（４）、及びｒ（６）は、伝搬路推定値Ｈｎｔ（ｐ）及び信号ｓ（ｍ）を用いて、次式（１９）で表される。
【０１５３】
【数１８】
0005704555.tif 000019
【０１５４】
なお、式（１９）は、基地局装置ａ２での雑音や他の通信装置からの干渉を無視した場合の式である。結合部ａ２０７１が生成するＲ１，３，５は、次式（２０）で表される。
【０１５５】
【数１９】
0005704555.tif 000020
【０１５６】
結合部ａ２０７１は、ベクトルＲ１，３，５を重み乗算部ａ２０７４に出力する。
一方、伝搬路行列生成部ａ２０７２は、伝搬路行列Ｈ１，３，５を算出して重み算出部ａ２０７３に出力する。重み算出部ａ２０７３は、次式（２１）で表される重みベクトルｗ１，３，５を算出する。
【０１５７】
【数２０】
0005704555.tif 000021
【０１５８】
このように、本実施形態では、移動局装置ｂ３は、各スペクトルが異なる周波数から送信されるようにスペクトルを並び換えて送信する。基地局装置ａ３では、異なる周波数で受信されたスペクトルを、干渉を抑圧するような合成を行なうことで、良好な伝送特性を得ることができる。また、仮に並び換えをせずに各送信アンテナから送られた信号を分離する場合、送信アンテナ相関が高いと分離精度が低下する。しかし、本実施形態では、並び換えを行なうことで、サブキャリアを受信アンテナと見なすことができるため、周波数相関が低ければ、信号分離ができる。
【０１５９】
（第４の実施形態）
以下、図面を参照しながら本発明の第４の実施形態について詳しく説明する。本実施形態では、複数の送信装置がある受信装置宛のデータを同時送信する技術（協調通信、ＣｏＭＰ（Ｃｏｏｐｅｒａｔｉｖｅ  Ｍｕｌｔｉｐｌｅ−Ｐｏｉｎｔ；多地点協調通信））を用いる場合について説明する。
【０１６０】
＜無線通信システム４について＞
図２５は、本発明の第４の実施形態に係る無線通信システム４の一例を示す概略図である。この図において、無線通信システム４は、複数の基地局装置Ａ４０、Ａ４１、Ｎ個の移動局装置Ｂ４ｎ（ｎ＝０〜Ｎ−１）、及び中央処理装置Ｃ４０を備える。基地局装置Ａ４０及びＡ４１は、中央処理装置Ｃ４０と光ファイバ等の有線で接続される。基地局装置Ａ４０及びＡ４１は、ある移動局装置Ｂ４ｎに対して協調して下りリンクの通信を行う場合には、その移動局装置Ｂ４ｎ宛のデータを、中央処理装置Ｃ４０を介して共有する。なお、基地局装置Ａ４０及びＡ４１は、データを共有できればよく、例えば、中央処理装置Ｃ４０と無線で接続されてもよいし、中央処理装置Ｃ４０を介さずに直接接続されてもよい。また、基地局装置Ａ４０及びＡ４１は、協調通信を行わない移動局装置Ｂ４ｎ宛のデータを共有せずに、それぞれ独立に通信を行なう周波数・時間等のリソースの割り当て（スケジューリング）を行う。
図２５において、基地局装置Ａ４０、Ａ４１は、それぞれ、Ｎｔ本の送信アンテナＡ４０−ｎｔ、Ａ４１−ｎｔ（ｎｔ＝０〜Ｎｔ−１）を備える。なお、送信アンテナの本数は、基地局装置Ａ４０、Ａ４１で異なってもよい。移動局装置Ｂ４ｎは、受信アンテナＢ４ｎ−０を備える。
【０１６１】
図２５は、基地局装置Ａ４０及びＡ４１が、移動局装置Ｂ４１とは協調通信を行い、移動局装置Ｂ４０、Ｂ４（Ｎ−１）とは協調通信を行わないことを示す。基地局装置Ａ４０及びＡ４１は、移動局装置Ｂ４１と接続（それぞれ、リンクＬ１０、Ｌ１１）し、同じデータの信号を同時に送信する。また、基地局装置Ａ４０は移動局装置Ｂ４０と接続（リンクＬ００）して通信を行い、それと独立して、基地局装置Ａ４１は移動局装置Ｂ４（Ｎ−１）と接続（リンクＬ（Ｎ−１）１）して通信を行う。
なお、無線通信システム４は、基地局装置を３個以上備えてもよく、３個以上の基地局装置を用いて協調通信を行ってもよい。また、本実施形態に係る移動局装置Ｂ４ｎは、第１の実施形態に係る移動局装置ｂ１と同じであるので、移動局装置Ｂ４ｎの説明は省略する。ただし、本実施形態に係る移動局装置ｂ１では、Ｓ個の基地局装置Ａ４１、Ａ４２、・・・、Ａ４Ｓ（図２５の例では、Ｓ＝２）のＮｔ本の送信アンテナを、１つの基地局装置のＳ×Ｎｔ本の送信アンテナとして扱うこととなる。
【０１６２】
図２６は、本実施形態に係る中央処理装置Ｃ４０及び基地局装置Ａ４ｓ（ｓ＝１，２）の構成を示す概略ブロック図である。この図において、中央処理装置Ｃ４０は、符号化部ｃ４０１、変調部ｃ４０２、及びコピー部ｃ４０３を含んで構成される。また、基地局装置Ａ４ｓは、スケジューリング部ａ４０４−ｓ、マッピング部ａ４０５−ｓ、信号多重部ａ４０６−ｓ、ＩＦＦＴ部ａ４０７−ｓ、ＣＰ挿入部ａ４０８−ｓ、送信部ａ４０９−ｓ、及び、送信アンテナａ４１０−ｓを含んで構成される。なお、例えば、基地局装置Ａ４ｓがＮｔ個の送信アンテナを備える場合には、マッピング部ａ４０５−ｓ−ｎｔ（ｎｔ＝０〜Ｎｔ−１）、信号多重部ａ４０６−ｓ−ｎｔ、ＩＦＦＴ部ａ４０７−ｓ−ｎｔ、ＣＰ挿入部ａ４０８−ｓ−ｎｔ、送信部ａ４０９−ｓ−ｎｔ、及び、送信アンテナａ４１０−ｓ−ｎｔを含んで備える。
【０１６３】
符号化部ｃ４０１は、音声データ、文字データ、画像データ等のビット系列を入力される。符号化部ｃ４０１は、入力されたビット系列を誤り訂正符号化し、誤り訂正符号化した符号化ビットを、変調部ｃ４０２に出力する。
変調部ｃ４０２は、符号化部ｃ４０１から入力された符号化ビットを変調する。変調部ｃ４０２は、変調後の信号を、Ｍ個毎にコピー部ｃ４０３に出力する。
コピー部ｃ４０３は、変調部ｃ４０２から入力された信号ｓ（ｍ）をコピー（複製）して、協調通信を行う基地局装置の数Ｓ個の信号ｓ（ｍ）を生成する。コピー部ｃ４０３は、生成した信号ｓ（ｍ）各々を、基地局装置ａ４ｓに出力する。
【０１６４】
スケジューリング部ａ４０４−ｓは、マッピング部ａ４０５−ｓでの信号に対する周波数の割り当てを示す割当情報を記憶する（図２７参照）。なお、割当情報は、オペレータ等の操作によって予め記憶されたものであってもよいし、予め定められた規則に基づいて基地局装置ａ４が決定したものを記憶したものであってもよい。スケジューリング部ａ４０４は、記憶する割当情報をマッピング部ａ４０５−ｓに出力する。
【０１６５】
マッピング部ａ４０５−ｓは、スケジューリング部ａ４０４−ｓから入力された割当情報が示す周波数に、コピー部ｃ４０３から入力された信号ｓ（ｍ）を配置する。マッピング部ａ４０５−ｓは、配置後の周波数スペクトルを信号多重部ａ１０６−ｎｔに出力する。
信号多重部ａ４０６−ｓは、マッピング部ａ１０５−ｓから入力された周波数スペクトル（データ信号とも称す）、参照信号、及び、制御情報、を多重することで、送信フレームの信号を生成する。信号多重部ａ４０６−ｓは、生成した送信フレームの信号を、ＩＦＦＴ部ａ４０７−ｓに出力する。
【０１６６】
ＩＦＦＴ部ａ４０７−ｓは、信号多重部ａ４０６−ｓから入力された信号に対して、ＮＦＦＴポイントの逆高速フーリエ変換を行うことにより、信号を周波数領域信号から時間領域信号へ変換する。ＩＦＦＴ部ａ４０７−ｓは、変換後の信号をＣＰ挿入部ａ４０８−ｓに出力する。
ＣＰ挿入部ａ４０８−ｓは、ＩＦＦＴ部ａ４０７−ｓから入力された信号に対して、ＯＦＤＭシンボル毎にＣＰを挿入する。ＣＰ挿入部ａ４０８−ｓは、ＣＰを挿入した信号を、送信部ａ４０９−ｓに出力する。
送信部ａ４０９−ｓは、ＣＰ挿入部ａ４０８−ｓから入力された信号に対して、Ｄ／Ａ変換、アナログ・フィルタリング、及びベースバンドから搬送波周波数へのアップコンバージョンの処理を行う。送信部ａ４０９−ｓは、処理後の信号を送信アンテナａ４１０−ｓを介して送信する。
【０１６７】
図２７は、本実施形態に係る割当情報の一例を示す概略図である。この図は、協調通信を行う基地局装置の数Ｓ＝２、アンテナ数Ｎｔ＝１、周波数スペクトル数Ｍ＝６の場合の割当情報の一例を示す。図示するように割当情報は、基地局装置識別情報、アンテナ番号ｎｔ、周波数ポイントｐ、移動局装置、及び信号の各項目の列を有している。割当情報は、基地局装置識別情報、アンテナ番号ｎｔ及び周波数ポイントｐ毎に、そこに配置する信号ｓ（ｍ）が対応付けられている。なお、スケジューリング部ａ４０４−ｓは、基地局装置識別情報が「Ａ４ｓ」に対応付けられた割当情報のみを記憶すればよい。移動局装置ｂ１は、図２７の割当情報を記憶する。
例えば、図２７は、基地局装置「Ａ４０」のマッピング部ａ４０５−０（アンテナ番号「０」に対応）では、周波数ポイント１〜６に、それぞれ、図１の移動局装置Ｂ４１宛の信号ｓ（０）〜ｓ（５）を配置することを示す。また、図２７は、基地局装置「Ａ４１」のマッピング部ａ４０５−１（アンテナ番号「０」に対応）では、周波数ポイント５〜１０に、それぞれ、移動局装置Ｂ４１宛の信号ｓ（０）〜ｓ（５）を配置することを示す。
【０１６８】
図２８は、本実施形態に係る周波数スペクトルの割り当ての一例を示す概略図である。この図は、図２７の割当情報の場合における周波数スペクトルの割り当てを示す。
図２８において、基地局装置Ａ４０の送信アンテナａ４１０−０では、周波数ポイント１〜６に、それぞれ、周波数スペクトルｓ（０）〜ｓ（５）が割り当てられている。一方、基地局装置Ａ４１の送信アンテナａ４１０−１では、周波数ポイント５〜１０に、それぞれ、周波数スペクトルｓ（０）〜ｓ（５）が割り当てられている。つまり、マッピング部ａ４０５−０では、周波数ポイント１〜６に、それぞれ、ある移動局装置Ｂ４ｎ宛の信号ｓ（０）〜ｓ（５）を配置する。一方、マッピング部ａ４０５−１では、周波数ポイント５〜１０に、それぞれ、その移動局装置Ｂ４ｎ宛の信号ｓ（０）〜ｓ（５）を配置する。
なお、本実施形態に係る移動局装置ｂ１は、図４、図５、又は図１１〜図１３に示す割り当てを行ってもよい。
【０１６９】
このように、本実施形態によれば、複数の基地局装置Ａ４０、Ａ４１が協調して移動局装置ｂ１と通信するシステムにおいて、基地局間で同一のリソース割り当てを行なうことなく、協調通信を行なうことができる。受信機である移動局装置ｂ１では、同じスペクトルが複数の周波数で受信されることを考慮して、信号分離処理を行なう。この結果、協調通信を行なわない移動局装置ｂ１のためのスケジューリングへの制限を低減することができるため、良好なセルスループット（システムスループット）を達成できる。
【０１７０】
なお、上記各実施形態において、スペクトルが連続的に割り当てられる場合について示したが、スペクトルが離散的に割り当てられる場合にも適用してもよい。また、他の送信アンテナａ１１０−ｎｔ、ａ４１０−ｓから同一周波数で他ユーザ宛の信号が送信されるＭＵ−ＭＩＭＯ（Multi-User Multiple Input Multiple Output）が併用された場合は、等化部が他の信号を分離、抑圧する既存の受信技術を併用する。また、上記第１の実施形態では、ＯＦＤＭを例に説明を行なったが、第２、３の実施形態のように、シングルキャリア伝送にも適用してもよい。ただし、その場合、数式（１）の重みはＭＲＣ基準ではなく、ＭＭＳＥ基準とすることが望ましいが、その場合でも逆行列演算を伴わない。また、本実施形態では、同一スペクトルが複数のサブキャリアで送信される例を示したが、複数のリソースとしては、周波数（サブキャリア）を用いる場合に限らず、時間等どのようなものであってもよい。例えば、ＡＲＱ（Ａｕｔｏｍａｔｉｃ  Ｒｅｐｅａｔ  ｒｅＱｕｅｓｔ、自動再送要求）において、初送時と再送時の受信信号を異なるアンテナでの受信信号と捉えたり、ＣＤＭＡで各コードを異なる受信アンテナと捉えてもよい。
【０１７１】
なお、上記第１の実施形態に係る移動局装置ｂ１は、デマッピング部ａ２０６及び等化部ｂ１０９に代えてデマッピング部ａ２０６及び等化部ａ２０７を備えてもよい。また、基地局装置ａ１は、並び替え部ｂ３１２−ｎｔを備えてもよい。例えば、並び替え部ｂ３１２−ｎｔは、スケジューリング部ａ１０４から入力された割り当て情報に基づいて、コピー部ａ１０３から入力された信号を並び替えて、マッピング部ａ１０５−ｎｔに出力する。
また、第２の実施形態に係る基地局装置ａ２は、デマッピング部ａ２０６及び等化部ａ２０７に代えてデマッピング部ｂ１０８、等化部ｂ１０９を備えてもよい。
【０１７２】
なお、上述した実施形態における基地局装置ａ１〜ａ４、移動局装置ｂ１〜ｂ３、中央処理装置Ｃ４０の一部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、基地局装置ａ１〜ａ４、移動局装置ｂ１〜ｂ３又は中央処理装置Ｃ４０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における基地局装置ａ１〜ａ４、移動局装置ｂ１〜ｂ３、及び中央処理装置Ｃ４０の一部、又は全部を、ＬＳＩ（Ｌａｒｇｅ  Ｓｃａｌｅ  Ｉｎｔｅｇｒａｔｉｏｎ）等の集積回路として実現しても良い。基地局装置ａ１〜ａ４、移動局装置ｂ１〜ｂ３、及び中央処理装置Ｃ４０の各機能ブロックは個別にプロセッサ化してもよいし、一部、又は全部を集積してプロセッサ化しても良い。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いても良い。
【０１７３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１７４】
Ａ１０、Ａ２０、Ａ４ｓ、ａ１、ａ２、ａ３・・・基地局装置、Ｂ１ｎ、Ｂ２ｎ、Ｂ４ｎ、ｂ１、ｂ２、ｂ３・・・移動局装置、Ｃ４０・・・中央処理装置、Ａ１０−ｎｔ、Ａ４ｓ−ｎｔ、ａ１１０−ｎｔ、ａ４１０−ｓ・・・送信アンテナ、Ａ２０−０、ａ２０１・・・受信アンテナ、Ｂ１ｎ−０、Ｂ２ｎ−ｎｔ、ｂ１０１、ｂ２０１・・・受信アンテナ、Ｂ２ｎ−ｎｔ・・・送信アンテナ、ａ１０１・・・符号化部、ａ１０２・・・変調部、ａ１０３・・・コピー部、ａ１０４、ａ４０４−ｓ・・・スケジューリング部、ａ１０５−ｎｔ、ａ４０５−ｓ・・・マッピング部、ａ１０６−ｎｔ、ａ４０６−ｓ・・・信号多重部、ａ１０７−ｎｔ、ａ４０７−ｓ・・・ＩＦＦＴ部、ａ１０８−ｎｔ、ａ４０８−ｓ・・・ＣＰ挿入部、ａ１０９−ｎｔ、ａ４０９−ｓ・・・送信部、・・・送信アンテナ、ｂ１０２・・・受信部、ｂ１０３・・・ＣＰ除去部、ｂ１０４・・・ＦＦＴ部、ｂ１０５・・・信号分離部、ｂ１０６・・・割当情報抽出部、ｂ１０７・・・伝搬路推定部、ｂ１０８・・・デマッピング部、ｂ１０９・・・等化部、ｂ１１０・・・復調部、ｂ１１１・・・復号部、ｂ１０９１・・・結合部、ｂ１０９２・・・伝搬路行列生成部、ｂ１０９３・・・ＭＩＭＯ重み算出部、ａ１０９４・・・ＳＩＭＯ重み算出部、ｂ１０９５・・・重み乗算部、ｂ２０２・・・制御情報受信部、ｂ２０３、ｂ３０３・・・割当情報抽出部、ｂ２０４・・・符号化部、ｂ２０５・・・変調部、ｂ２０６・・・ＤＦＴ部、ｂ２０８−ｎｔ・・・マッピング部、ｂ２０９−ｎｔ・・・参照信号多重部、ｂ２１０−ｎｔ・・・ＯＦＤＭ信号生成部、ａ２０２・・・ＯＦＤＭ信号受信部、ａ２０３・・・参照信号分離部、ａ２０４・・・伝搬路推定部、ａ２０５、ａ３０５・・・スケジューリング部、ａ２０６・・・デマッピング部、ａ２０７・・・等化部、ａ２０８・・・ＩＤＦＴ部、ａ２０９・・・復調部、ａ２１０・・・復号部、ａ２１１・・・送信アンテナ、ａ２０７１・・・結合部、ａ２０７２・・・伝搬路行列生成部、ａ２０７３・・・重み算出部、ａ２０７４・・・重み乗算部、ｂ３１２−ｎｔ・・・並び替え部、ｃ４０１・・・符号化部、ｃ４０２・・・変調部、ｃ４０３・・・コピー部
【図１】
0005704555.tif 000022
【図２】
0005704555.tif 000023
【図３】
0005704555.tif 000024
【図４】
0005704555.tif 000025
【図５】
0005704555.tif 000026
【図６】
0005704555.tif 000027
【図７】
0005704555.tif 000028
【図８】
0005704555.tif 000029
【図９】
0005704555.tif 000030
【図１０】
0005704555.tif 000031
【図１１】
0005704555.tif 000032
【図１２】
0005704555.tif 000033
【図１３】
0005704555.tif 000034
【図１４】
0005704555.tif 000035
【図１５】
0005704555.tif 000036
【図１６】
0005704555.tif 000037
【図１７】
0005704555.tif 000038
【図１８】
0005704555.tif 000039
【図１９】
0005704555.tif 000040
【図２０】
0005704555.tif 000041
【図２１】
0005704555.tif 000042
【図２２】
0005704555.tif 000043
【図２３】
0005704555.tif 000044
【図２４】
0005704555.tif 000045
【図２５】
0005704555.tif 000046
【図２６】
0005704555.tif 000047
【図２７】
0005704555.tif 000048
【図２８】
0005704555.tif 000049